(57)【要約】      （修正有）【課題】セキュリティゲートを有するビルへのゲストの訪問時における利便性を向上可能なエレベータシステムの提供。【解決手段】セキュリティサーバ１００は（１）入居者によるゲストＩＤの生成のためのＱＲコード（登録商標）生成依頼情報を受け付けた場合ゲストＩＤを生成とＱＲコード生成依頼情報における行先階とを対応付けて記憶部１０２に記憶させ、さらに生成したゲストＩＤをＱＲコード生成依頼情報におけるゲストメールアドレスに基づいてゲストの情報通信端末に送信し、（２）ＱＲコードリーダ部２５ｂでゲストＩＤが取得された場合、エレベータ乗場が設けられる特定領域へのゲストの進入が可能なようにセキュリティゲート２０を制御し、ゲストＩＤに対応付けられている行先階を記憶部１０２から読み出す。群管理制御装置１０は記憶部１０２から読み出された行先階をいずれかの号機に割り当て割り当てた号機の情報をゲート表示器７０に表示させる。【選択図】図１０Ａ
2018070344.tif 000002
【特許請求の範囲】
【請求項１】
複数台の号機を含むエレベータ群を制御する群管理制御装置と、
前記エレベータ群が設置されるビルにおいてエレベータ乗場が設けられる特定領域の入口に配置されるセキュリティゲートと、
前記セキュリティゲートに配置され、情報通信端末からゲスト用認証情報を取得する認証情報取得部と、
前記認証情報取得部で取得された前記ゲスト用認証情報に基づいて前記セキュリティゲートを制御するゲート制御部と、
前記セキュリティゲートに配置されるゲート表示部と、を備え、
前記ゲート制御部は、前記ビルの入居者による前記ゲスト用認証情報の生成のための生成依頼情報を受け付け可能に構成されているとともに、
前記生成依頼情報は、ゲストの行先階を示す情報と、前記ゲストの情報通信端末の情報送信先を示すゲスト送信先情報とを含み、
前記ゲート制御部は、
（１）前記生成依頼情報を受け付けた場合、（１ａ）前記ゲスト用認証情報を生成するとともに、生成した前記ゲスト用認証情報と、前記生成依頼情報における前記ゲストの行先階とを対応付けて記憶部に記憶させ、
さらに、（１ｂ）生成した前記ゲスト用認証情報を、前記生成依頼情報に含まれる前記ゲスト送信先情報に基づいて前記情報通信端末に送信し、
（２）前記認証情報取得部で前記ゲスト用認証情報が取得された場合、前記特定領域への前記ゲストの進入が可能なように前記セキュリティゲートを制御し、かつ前記ゲスト用認証情報に対応付けられている行先階を前記記憶部から読み出し、
前記群管理制御装置は、前記記憶部から読み出された前記行先階を前記エレベータ群のいずれかの号機に割り当て、割り当てた号機の情報を前記ゲート表示部に表示させる、
エレベータシステム。
【請求項２】
前記生成依頼情報は、前記ゲスト用認証情報の有効期間を示す情報をさらに含み、
前記ゲート制御部は、前記ゲスト用認証情報を前記有効期間の開始日時の所定時間前に前記ゲストの前記情報通信端末に送信する、
請求項１に記載のエレベータシステム。
【請求項３】
前記ゲート制御部は、前記生成依頼情報を受け付けた場合、前記セキュリティゲート及び前記エレベータ群の利用方法の案内情報を前記ゲストの前記情報通信端末に送信する、
請求項１に記載のエレベータシステム。
【請求項４】
前記生成依頼情報は、前記ゲスト用認証情報の有効期間を示す情報をさらに含み、
前記ゲート制御部は、前記有効期間が経過した場合、前記ゲスト用認証情報を前記記憶部から消去する、
請求項１に記載のエレベータシステム。
【請求項５】
前記ゲート制御部は、前記認証情報取得部で前記ゲスト用認証情報が初めて取得された場合のみ、前記特定領域への前記ゲストの進入が可能となるように前記セキュリティゲートを制御する、
請求項１に記載のエレベータシステム。
【請求項６】
前記ゲート制御部は、前記生成依頼情報を受け付けた場合において、前記生成依頼情報における前記行先階が、前記入居者に対応付けて前記記憶部に予め記憶されている許可階に含まれている場合に限り、前記（１ａ）及び（１ｂ）を実行する、
請求項１に記載のエレベータシステム。
【請求項７】
前記生成依頼情報は、当該生成依頼情報を生成した入居者への情報送信先を示す入居者送信先情報をさらに含み、
前記群管理制御装置は、前記ゲストの行先階を前記複数台の号機のいずれかに割り当てた場合、前記ゲストが到着したことを示す到着情報を、前記入居者送信先情報が示す前記入居者の情報通信端末に送信する、
請求項１に記載のエレベータシステム。
【請求項８】
前記生成依頼情報における前記ゲストの前記行先階は、前記入居者に対応付けられている少なくとも１つの許可階の中から前記入居者により選択的に設定され、
前記到着情報は、前記ゲストの前記行先階として設定されている階床情報を含む、
請求項７に記載のエレベータシステム。
【請求項９】
前記到着情報は、前記ゲストの前記行先階を割り当てた号機を示す情報を含む、
請求項７に記載のエレベータシステム。
【請求項１０】
前記群管理制御装置は、前記ゲストの前記行先階を前記複数台の号機のいずれかに割り当てた場合、前記割り当てた号機の走行中の現在位置を示す情報を前記入居者の情報通信端末に送信する、
請求項１に記載のエレベータシステム。
【請求項１１】
前記ビルの複数の階床のそれぞれに、
前記ゲストの前記情報通信端末から前記ゲスト用認証情報を取得する第２の認証情報取得部と、
表示部と、
前記表示部の表示を制御する表示制御部と、をさらに備え、
前記生成依頼情報は、前記ゲスト用認証情報の有効期間を示す情報をさらに含み、
前記第２の認証情報取得部で前記ゲスト用認証情報が取得された場合、前記ゲート制御部は、前記記憶部に前記ゲスト用認証情報に対応付けて記憶されている前記生成依頼情報に含まれる前記ゲスト用認証情報の有効期間の情報を読み出し、入力された前記ゲスト用認証情報の有効期間が経過しているときは、前記ゲストの行先階として所定階を設定し、前記群管理制御装置は、前記所定階をいずれかの号機に割り当て、前記表示制御部は、前記表示部に、前記ゲストの行先階として前記所定階が設定されたことと、前記所定階が割り当てられた号機の情報とを表示させる、
請求項１に記載のエレベータシステム。
【請求項１２】
前記ビルの複数の階床のそれぞれに、
行先階の選択操作を受け付ける操作部と、
前記ゲストの前記情報通信端末から前記ゲスト用認証情報を取得する第２の認証情報取得部と、
表示部と、
前記表示部の表示を制御する表示制御部と、をさらに備え、
前記生成依頼情報は、前記ゲストの利用が許可される少なくとも１つの許可階についての情報をさらに含み、
前記ゲート制御部は、前記第２の認証情報取得部で前記ゲスト用認証情報が取得された場合、前記ゲート制御部は、前記記憶部に前記ゲスト用認証情報に対応付けて記憶されている前記生成依頼情報に含まれる前記ゲストについての全ての許可階の情報を読み出し、前記表示制御部は、前記ゲート制御部で取得された全ての許可階を前記表示部に表示させ、前記群管理制御装置は、全ての許可階の中から前記操作部で選択された許可階をいずれかの号機に割り当て、前記表示制御部は、前記表示部に、前記操作部で選択された許可階と、前記選択された許可階が割り当てられた号機の情報とを表示させる、
請求項１１に記載のエレベータシステム。
【請求項１３】
前記生成依頼情報は、前記ゲスト用認証情報の有効期間を示す情報をさらに含み、
前記第２の認証情報取得部で前記ゲスト用認証情報が取得された場合、前記ゲート制御部は、前記記憶部に前記ゲスト用認証情報に対応付けて記憶されている前記生成依頼情報に含まれる前記ゲスト用認証情報の有効期間の情報を読み出し、取得されたゲスト用認証情報の有効期間が経過しているときは、前記ゲストの行先階として所定階を設定し、前記群管理制御装置は、前記所定階をいずれかの号機に割り当て、前記表示制御部は、前記表示部に、前記ゲストの行先階として前記所定階が設定されたことと、前記所定階が割り当てられた号機の情報とを表示させる、
請求項１２に記載のエレベータシステム。
【請求項１４】
前記ビルの複数の階床のそれぞれに、
前記ゲストの前記情報通信端末から前記ゲスト用認証情報を取得する第２の認証情報取得部と、
行先階の入力操作を受け付ける操作部と、
表示部と、
前記表示部の表示を制御する表示制御部と、を備え、
前記生成依頼情報は、前記ゲストの利用が許可される少なくとも１つの許可階についての情報をさらに含み、
前記操作部で行先階が入力された場合、前記表示制御部は、前記操作部で入力された行先階を前記群管理制御装置に送信し、
前記第２の認証情報取得部で前記ゲスト用認証情報が取得された場合、前記ゲート制御部は、前記記憶部に前記ゲスト用認証情報に対応付けて記憶されている前記生成依頼情報に含まれる前記ゲストについての全ての許可階の情報を読み出して前記群管理制御装置に送信し、
前記群管理制御装置は、前記表示制御部から受信した行先階が前記ゲート制御部から受信した許可階に含まれているときは、前記表示制御部から受信した行先階をいずれかの号機に割り当て、前記表示制御部は、前記表示部に、前記操作部で入力された行先階と、前記行先階に割り当てられた号機の情報とを表示させる、
請求項１に記載のエレベータシステム。
【請求項１５】
前記群管理制御装置は、前記表示制御部から受信した行先階が前記ゲート制御部から受信した許可階に含まれていないときは、前記表示制御部にエラー信号を送信し、
前記表示制御部は、前記エラー信号を受信すると、前記表示部に、前記操作部で入力された行先階には前記ゲストが行くことができないことを示す情報を表示させる、
請求項１４に記載のエレベータシステム。
【請求項１６】
前記生成依頼情報は、前記ゲスト用認証情報の有効期間を示す情報をさらに含み、
前記第２の認証情報取得部で前記ゲスト用認証情報が取得された場合、前記ゲート制御部は、前記記憶部に前記ゲスト用認証情報に対応付けて記憶されている前記生成依頼情報に含まれる前記ゲスト用認証情報の有効期間の情報を読み出し、入力されたゲスト用認証情報の有効期間が経過しているときは、前記ゲストの行先階として所定階を設定し、前記群管理制御装置は、前記所定階をいずれかの号機に割り当て、前記表示制御部は、前記表示部に、前記ゲストの行先階として前記所定階が設定されたことと、前記所定階に割り当てられた号機の情報とを表示させる、
請求項１４また請求項１５に記載のエレベータシステム。
【請求項１７】
前記ビルの入居者による前記ゲスト用認証情報の生成に必要な情報の入力を受け付けて前記生成依頼情報として前記ゲート制御部に送信する認証情報作成用端末をさらに備える、
請求項１に記載のエレベータシステム。
【請求項１８】
前記認証情報作成用端末は、前記ビルにおいて前記特定領域に配置される、
請求項１７に記載のエレベータシステム。
【請求項１９】
前記認証情報作成用端末は、前記ビルの入居者のＩＣカードから入居者認証情報を取得するＩＣカードリーダを備え、
前記ゲート制御部は、前記ＩＣカードリーダで取得された前記入居者認証情報が第２の記憶部に記憶されている場合に限り、前記ゲスト用認証情報の生成に必要な情報の入力を受け付ける、
請求項１７または請求項１８に記載のエレベータシステム。
【請求項２０】
前記セキュリティゲートに配置され、ＩＣカードから入居者認証情報を取得するカードリーダ部をさらに備え、
前記ゲート制御部は、前記カードリーダ部で前記入居者認証情報が取得された場合、前記特定領域への前記入居者の進入が可能なように前記セキュリティゲートを制御し、かつ前記入居者認証情報に対応付けられている行先階を第３の記憶部から読み出し、
前記群管理制御装置は、前記第３の記憶部から読み出された行先階を前記エレベータ群のいずれかの号機に割り当てる、
請求項１に記載のエレベータシステム。
【請求項２１】
前記ゲスト用認証情報は、二次元コードにコード化されて、前記ゲストの前記情報通信端末に送信され、
前記認証情報取得部は、前記情報通信端末の表示部に表示された前記二次元コードを読み取ってデコードすることで、前記ゲスト用認証情報を取得する、
請求項１から請求項２０のいずれか１項に記載のエレベータシステム。
【発明の詳細な説明】
【技術分野】
【０００１】
本発明は、セキュリティゲートを有するエレベータシステムに関する。
【背景技術】
【０００２】
特許文献１は、複数のエレベータと、ビルにおいてエレベータ乗場が設けられる領域の入口に配置されるセキュリティゲートと、エレベータの行先階を登録するための行先階登録装置とを有するエレベータシステムを開示している。
【先行技術文献】
【特許文献】
【０００３】
【特許文献１】特開２０１６−０５６０１７号公報
【発明の概要】
【発明が解決しようとする課題】
【０００４】
上記のようなセキュリティゲートが設けられたビルでは、ゲストがセキュリティゲートを通ってビル内部の領域に入るためには、ビルの受付で名刺を提示したり名前を書いたりしてＩＣカードを借用する必要があり、また、ビル内部でエレベータに乗車するためには、行先階登録装置で行先階を登録する必要があり、ゲストの利便性の点で課題があった。
【０００５】
本発明は、セキュリティゲートを有するビルへのゲストの訪問時における利便性を向上可能なエレベータシステムを提供する。
【課題を解決するための手段】
【０００６】
本発明のエレベータシステムは、
複数台の号機を含むエレベータ群を制御する群管理制御装置と、
エレベータ群が設置されるビルにおいてエレベータ乗場が設けられる特定領域の入口に配置されるセキュリティゲートと、
セキュリティゲートまたはその入口側に配置され、情報通信端末からゲスト用認証情報を取得する認証情報取得部と、
認証情報取得部で取得されたゲスト用認証情報に基づいてセキュリティゲートを制御するゲート制御部と、
セキュリティゲートに配置されるゲート表示部と、を備える。
ゲート制御部は、ビルの入居者によるゲスト用認証情報の生成のための生成依頼情報を受け付け可能に構成されている。
生成依頼情報は、ゲストの行先階を示す情報と、ゲストの情報通信端末の情報送信先を示すゲスト送信先情報とを含む。
ゲート制御部は、
（１）生成依頼情報を受け付けた場合、（１ａ）ゲスト用認証情報を生成するとともに、生成したゲスト用認証情報と、生成依頼情報における行先階とを対応付けて記憶部に記憶させ、
さらに、（１ｂ）生成したゲスト用認証情報を、生成依頼情報に含まれるゲスト送信先情報に基づいて情報通信端末に送信し、
（２）認証情報取得部でゲスト用認証情報が取得された場合、特定領域へのゲストの進入が可能なようにセキュリティゲートを制御し、かつゲスト用認証情報に対応付けられている行先階を記憶部から読み出す。
群管理制御装置は、ゲート制御部の記憶部から読み出された行先階をエレベータ群のいずれかの号機に割り当て、割り当てた号機の情報をゲート表示部に表示させる。
【発明の効果】
【０００７】
本発明によれば、ビルの入居者が、ゲストがビルのセキュリティゲートを通過してエレベータを利用するためのゲスト用認証情報を生成することができるようになる。生成されたゲスト用認証情報は、ゲストがビルの入居者を訪問する前にエレベータシステムからゲストの情報通信端末に送信される。ゲストは、ビルを訪問した際に、ゲストの情報通信端末から、セキュリティゲートまたはその入口側に配置された認証情報取得部にゲスト用認証情報を読み取らせればよい。これにより、特定領域へのゲストの進入が可能なようにセキュリティゲートが制御され、さらにゲスト用認証情報に対応付けられている行先階行きの号機が自動で割り当てられ、割り当てられた号機の情報がゲート表示部に表示されることとなる。そのため、セキュリティゲートを有するビルへのゲストの訪問時における利便性を向上させることができる。
【図面の簡単な説明】
【０００８】
【図１】実施形態１におけるエレベータシステムが適用されるビルの特定階における機器配置を示す概略平面図である。
【図２】実施形態１におけるエレベータシステムの構成を示すブロック図である。
【図３】実施形態１における行先階登録装置の電気的構成を示すブロック図である。
【図４】実施形態１におけるセキュリティゲートの外観を示す斜視図である。
【図５】実施形態１におけるセキュリティゲートの電気的構成を示すブロック図である。
【図６】実施形態１におけるセキュリティサーバの電気的構成を示すブロック図である。
【図７】実施形態１におけるセキュリティサーバの記憶部に格納されている入居者データベースの構成を示す図である。
【図８】実施形態１におけるセキュリティサーバの記憶部に格納されているゲストデータベースの構成を示す図である。
【図９】実施形態１におけるＱＲコード（登録商標）作成用端末の電気的構成を示すブロック図である。
【図１０Ａ】実施形態１におけるセキュリティサーバがセキュリティゲートのリーダから認証情報を受信したときの動作を説明するフローチャートである。
【図１０Ｂ】実施形態１におけるセキュリティサーバが行先階登録装置のリーダからゲストＩＤを受信したときの動作を説明するフローチャートである。
【図１１Ａ】実施形態１における群管理制御装置がセキュリティサーバから割当依頼情報を受信したときの動作を説明するフローチャートである。
【図１１Ｂ】実施形態１における群管理制御装置が生成するゲスト到着メールの内容の一例を示す図である。
【図１１Ｃ】実施形態１における群管理制御装置がセキュリティサーバから許可階を受信したときの動作を説明するフローチャートである。
【図１１Ｄ】実施形態１における情報通信端末の表示部にアプリにより表示される画面の一例を示す図である。
【図１２Ａ】実施形態１における行先階登録装置の動作を説明するフローチャートである。
【図１２Ｂ】実施形態１における行先階登録装置の表示部の表示例を示す図である。
【図１３】実施形態１におけるＱＲコード作成用端末の動作を説明するフローチャートである。
【図１４】実施形態１におけるセキュリティサーバがＱＲコード作成用端末からＱＲコード生成依頼情報を受信したときの動作を説明するフローチャートである。
【図１５】実施形態１におけるセキュリティサーバが送信する案内メールの一例を示す図である。
【図１６】実施形態１におけるセキュリティサーバのゲストＤＢ更新処理及びＱＲコード送信処理を説明するフローチャートである。
【図１７】実施形態１におけるセキュリティサーバが送信するＱＲコード送付メールの一例を示す図である。
【図１８】実施形態１におけるセキュリティサーバが生成するＱＲコードの一例を示す図である。
【図１９】実施形態２における行先階登録装置の表示部の表示例を示す図である。
【図２０】実施形態２における群管理制御装置が行先階登録装置から行先階の情報を受信したときの動作を説明するフローチャートである。
【図２１】実施形態２における行先階登録装置の動作を説明するフローチャートである。
【発明を実施するための形態】
【０００９】
本発明の実施形態について図面を参照して説明する。
【００１０】
（実施形態１）
１．構成
１−１．エレベータシステムの概要
実施形態１におけるエレベータシステムの概要について説明する。図１は、実施形態１におけるエレベータシステムが適用されるビル（建物）の特定階における機器配置を示す概略平面図である。特定階とは、例えば当該ビルの外部につながるロビー階であり、ビルの利用者は特定階を経由して他の階に移動することとなる。ここで、本実施形態では、「利用者」には、ビルの正規のＩＤカードを有している「入居者」と、ビルへ招かれ、正規のＱＲコードを有している「ゲスト」とが含まれる。また、正規のＩＤカードまたは正規のＱＲコードを有している利用者を「正規の利用者」と言い、正規のＩＤカードや正規のＱＲコードを有していないにもかかわらず、セキュリティゲートやエレベータを不正に利用しようとする者を「非正規の利用者」という場合がある。
【００１１】
本実施形態に係るエレベータシステムは、複数台のエレベータ６０Ａ〜６０Ｆと、エレベータ６０Ａ〜６０Ｆの運行を統合的に制御する群管理システムとを含む。以下において、エレベータ６０Ａ〜６０Ｆを適宜Ａ号機〜Ｆ号機という。本実施形態では、一例としてＡ号機からＦ号機の６台のエレベータ６０Ａ〜６０Ｆが設けられている。各エレベータ６０Ａ〜６０Ｆの乗車用開口がエレベータ乗場側に設けられており、利用者はエレベータ乗場からエレベータ６０Ａ〜６０Ｆに乗車する。なお、複数台のエレベータ６０Ａ〜６０Ｆは互いに同一の構成を有する。そのため、構成等の説明において区別する必要がない場合、適宜、各エレベータを「エレベータ６０」という。
【００１２】
本実施形態では、ビルのロビー階等の特定階に、複数台のセキュリティゲート２０Ａ〜２０Ｃが配置されている。なお、複数台のセキュリティゲート２０Ａ〜２０Ｃは互いに同一の構成を有する。そのため、構成等の説明において区別する必要がない場合、適宜、各セキュリティゲートを「セキュリティゲート２０」という。利用者は、エントランス側からいずれかのセキュリティゲート２０を通過して特定領域に進入する。
【００１３】
ビルにおいて、特定階のエントランス側からセキュリティゲート２０Ａ〜２０Ｃを通過しないと入れない領域を、以下適宜「特定領域」という。特定領域には、エレベータ乗場や、各エレベータ６０のかご内のスペースや、エレベータ６０を利用して移動可能な各階床のスペースを含む。
【００１４】
特定階のエレベータ乗場の近傍には、行先階登録装置３０ＡやＱＲコード作成用端末２００が配置されている。
【００１５】
特定階以外の各階床のエレベータ乗場の近傍には、行先階登録装置３０Ｂ〜３０Ｚ（図２参照）が配置されている。複数台の行先階登録装置３０Ａ〜３０Ｚは互いに同一の構成を有する。そのため、構成等の説明において区別する必要がない場合、適宜、各行先階登録装置３０Ａ〜３０Ｚを「行先階登録装置３０」という。
【００１６】
本実施形態におけるエレベータシステムでは、利用者がエレベータ６０のかごに乗車する前にセキュリティゲート２０や行先階登録装置３０を利用して行先階を予め登録する行先階登録方式が採用されている。そして、群管理システムは、このようにして予め登録された行先階についての呼び（行先階呼び）を、複数台のエレベータ６０のうちのいずれかの号機に割り当てて、割り当てた号機を示す情報を利用者に報知し、割り当てた号機に利用者を乗車させるように構成されている。
【００１７】
また、本実施形態におけるエレベータシステムでは、利用者のうちビルの入居者については、ビル入館用のＩＤカードを利用してセキュリティゲート２０を通過し、行先階の登録を行うことが可能に構成されている。ＩＤカードは一般的なＩＣカードにより構成可能である。また、利用者のうちゲストについては、ＱＲコードを利用してセキュリティゲート２０を通過し、行先階の登録を行うことが可能に構成されている。
【００１８】
なお、特定階の行先階登録装置３０Ａは、特定領域に進入した利用者が指定されたエレベータ６０に乗り遅れたとき、あるいは入居者がＩＤカードに登録されている入居者ＩＤにデフォルトで対応付けられている行先階以外の許可階に移動するとき、あるいはＱＲコードに登録されているゲストＩＤに対応付けられている行先階以外の許可階に移動するときなどに、エレベータ６０を利用可能とするために設けられている。
【００１９】
１−２．エレベータシステムの構成
１−２−１．概要
図２は、実施形態１におけるエレベータシステムの構成を示すブロック図である。本実施形態におけるエレベータシステムは、複数台のエレベータ６０Ａ〜６０Ｆと、群管理システムとを含む。エレベータの群管理システムは、群管理制御装置１０と、複数台の行先階登録装置３０Ａ〜３０Ｚと、複数台のエレベータ制御装置４０Ａ〜４０Ｆと、複数台のゲート表示器７０とを有する。ゲート表示器７０は、セキュリティゲート２０に配置されている。
【００２０】
群管理制御装置１０は、セキュリティサーバ１００或いは行先階登録装置３０との間で通信を行いながら、各号機に対する新規の行先階呼びの割当制御を行う。各装置間は、情報伝送可能なネットワークＮＷを介して接続されている。ネットワークＮＷは、例えばＥｔｈｅｒｎｅｔ（登録商標）等のＬＡＮ（Ｌｏｃａｌ  Ａｒｅａ  Ｎｅｔｗｏｒｋ）により構成され、各装置間での各種の情報の送受信は、ＴＣＰ／ＩＰ等の各種のプロトコルにしたがって行われる。ネットワークＮＷ上に接続されている前述の各装置は、装置間において、各装置が有する入出力インタフェースにより、ＴＣＰ／ＩＰ等の各種のプロトコルにしたがった通信による信号伝送（情報伝送）が可能である。なお、群管理システムを構成する各装置間は、他の信号形式のネットワークや、専用の信号網を介して接続されてもよい。
【００２１】
各エレベータ６０（６０Ａ〜６０Ｆ）は、かご、巻上機（モータ）、釣合おもり等を有する。
【００２２】
１−２−２．群管理制御装置
群管理制御装置１０は、複数台のエレベータ６０Ａ〜６０Ｆの運行を統合的に制御する。
【００２３】
群管理制御装置１０は、コンピュータを利用して構成され、制御部１１と、記憶部１２と、入出力インタフェース１３と、通信部１４と、を備える。
【００２４】
記憶部１２は、例えばＲＡＭ、ＲＯＭ、ＨＤＤ、ＳＳＤ等を利用して構成され、プログラム、及び種々のデータを格納している。プログラムは、本実施形態の群管理制御装置１０の各種機能を実現するためのプログラムを含む。
【００２５】
制御部１１は、例えばＣＰＵ、ＭＰＵ等を利用して構成される。制御部１１は、記憶部１２から読み出した上記プログラムに基づいて種々のデータ等を利用して演算処理を行うことにより、群管理制御装置１０における後述する各種の機能を実現する。
【００２６】
入出力インタフェース１３は、例えばＬＡＮアダプタ等を利用して構成される。入出力インタフェース１３は、群管理制御装置１０が、セキュリティサーバ１００、セキュリティゲート２０（２０Ａ〜２０Ｃ）のゲート表示器７０、行先階登録装置３０（３０Ａ〜３０Ｚ）、及びエレベータ制御装置４０（４０Ａ〜４０Ｆ）との間で各種信号を送受信するためのインタフェースである。入出力インタフェース１３は、制御部１１から出力される信号を所定の形式の信号に変換してセキュリティサーバ１００、セキュリティゲート２０のゲート表示器７０、行先階登録装置３０、エレベータ制御装置４０に出力する。また、入出力インタフェース１３は、セキュリティサーバ１００、セキュリティゲート２０のゲート表示器７０、行先階登録装置３０、エレベータ制御装置４０から入力された信号を所定の形式の信号に変換して制御部１１に出力する。
【００２７】
通信部１４は、入居者が所有する情報通信端末に、後述するゲスト到着メール（電子メール）を送信するための通信ユニットである。通信部１４における通信方式は、情報通信端末にゲスト到着メールを送信することができる方式であればどのような方式でもよい。
【００２８】
１−２−３．行先階登録装置
図３は、実施形態１における行先階登録装置３０の電気的構成を示すブロック図である。行先階登録装置３０は、利用者が行先階の登録を行うための装置である。行先階登録装置３０は、制御部３１と、記憶部３２と、第１入出力インタフェース３３と、第２入出力インタフェース３７と、表示部３４と、操作部３５と、リーダ３６とを備える。
【００２９】
記憶部３２は、例えばＲＡＭ、ＲＯＭ、ＨＤＤ、ＳＳＤ等を利用して構成され、プログラム、及び種々のデータを格納している。プログラムは、本実施形態の行先階登録装置３０の各種機能を実現するためのプログラムを含む。
【００３０】
制御部３１は、例えばＣＰＵ、ＭＰＵ等を利用して構成される。制御部３１は、記憶部３２から読み出した上記プログラムに基づいて種々のデータ等を利用して演算処理を行うことにより、行先階登録装置３０における後述する各種の機能を実現する。
【００３１】
第１入出力インタフェース３３は、例えばＬＡＮアダプタ等を利用して構成される。第１入出力インタフェース３３は、行先階登録装置３０が群管理制御装置１０との間で各種信号を送受信するためのインタフェースである。第１入出力インタフェース３３は、制御部３１から出力された信号を所定の形式の信号に変換して群管理制御装置１０に出力する。また、第１入出力インタフェース３３は、群管理制御装置１０から入力された信号を所定の形式の信号に変換して制御部３１に出力する。
【００３２】
第２入出力インタフェース３７は、例えばＬＡＮアダプタ等を利用して構成される。第２入出力インタフェース３７は、行先階登録装置３０がセキュリティサーバ１００との間で各種信号を送受信するためのインタフェースである。第２入出力インタフェース３７は、制御部３１から出力された信号を所定の形式の信号に変換してセキュリティサーバ１００に出力する。
【００３３】
リーダ３６は、カードリーダ部３６ａと、ＱＲコードリーダ部３６ｂとを有する。カードリーダ部３６ａは、ＩＣカードのＩＣタグに記録された情報を例えば電磁的に非接触で読み取り可能なリーダである。ＱＲコードリーダ部３６ｂは、スマートフォン等の情報通信端末の表示部に表示されたＱＲコードを光学的に読み取り可能なリーダである。具体的には、リーダ３６のカードリーダ部３６ａとＱＲコードリーダ部３６ｂは、図１２Ｂ、図１９に示すように、一体的に構成されている。リーダ３６のＱＲコードリーダ部３６ｂは、行先階登録装置３０の筐体の前面に臨ませて配置される光学式リーダ（スキャナあるいはカメラ）と、読み取った光学データに含まれるＱＲコードをデコードして出力するデコーダとを備える。カードリーダ部３６ａは、ＱＲコードリーダ部３６ｂの光学式リーダよりも筐体内部側に配置されている。なお、本発明において、リーダ３６は、カードリーダ部３６ａとＱＲコードリーダ部３６ｂとが一体的に構成されたものでなくてもよい。例えば、カードリーダ部３６ａとＱＲコードリーダ部３６ｂとは、行先階登録装置３０の前面や側面の異なる位置に配置されてもよい。
【００３４】
リーダ３６は、ＩＤカードがかざされると、カードリーダ部３６ａにより、ＩＤカードから入居者ＩＤを取得する。リーダ３６は、取得した入居者ＩＤを、認証情報として、第２入出力インタフェース３７を介してセキュリティサーバ１００に出力する。なお、このとき、リーダ３６は、当該リーダ３６のデバイスＩＤをあわせてセキュリティサーバ１００に送信する。
【００３５】
また、リーダ３６は、ＱＲコードがかざされると、ＱＲコードリーダ部３６ｂにより、ＱＲコードを読み取って、読み取ったＱＲコードからゲストＩＤを取得する。リーダ３６は、取得したゲストＩＤを、認証情報として、第２入出力インタフェース３７を介してセキュリティサーバ１００に出力する。なお、このとき、リーダ３６は、当該リーダ３６のデバイスＩＤをあわせてセキュリティサーバ１００に出力する。
【００３６】
操作部３５は、利用者が行先階を入力（指定）するためのインタフェースである。操作部３５は、操作内容に応じた信号を制御部３１に出力する。
【００３７】
表示部３４は、制御部３１から出力される表示信号に基づく表示を行う。
【００３８】
本実施形態では、表示部３４及び操作部３５は、例えば液晶ディスプレイパネルや有機ＥＬディスプレイパネルを利用したタッチパネル式表示装置により一体的に構成されている。なお、表示部３４と操作部３５とは、異なる部品を利用して別々に構成されてもよい。
【００３９】
１−２−４．エレベータ制御装置
エレベータ制御装置４０Ａ〜４０Ｆは、エレベータ６０Ａ〜６０Ｆに対応させて設けられ、群管理制御装置１０からの制御信号にしたがって、対応するエレベータ６０Ａ〜６０Ｆの巻上機（モータ）等の動作を制御することにより、エレベータ６０Ａ〜６０Ｆのかごの上昇、下降、停止等を制御する。また、エレベータ制御装置４０Ａ〜４０Ｆはそれぞれ、対応するエレベータ６０Ａ〜６０Ｆのかごの位置、走行方向、ドアの開閉状態、荷重等を含むかご状態を検知して、検知したかご状態を示す情報等を群管理制御装置１０に出力する。なお、複数台のエレベータ制御装置４０Ａ〜４０Ｆは互いに同一の構成を有する。そのため、構成等の説明において区別する必要がない場合、適宜、各エレベータ制御装置を「エレベータ制御装置４０」という。
【００４０】
各エレベータ制御装置４０（エレベータ制御装置４０Ａ〜４０Ｆ）は、制御部、記憶部、入出力インタフェース等を有するコンピュータにより構成可能である。
【００４１】
１−２−５．セキュリティゲート
セキュリティゲート２０は、ビル内部の特定領域への非正規の利用者の進入を規制するための装置である。セキュリティゲート２０は、正規な入居者ＩＤが登録されたＩＤカードまたは正規なゲストＩＤを二次元コード化したＱＲコードを記録した情報通信端末（以下において適宜「正規な入居者ＩＤが登録されたＩＤカードまたはＱＲコードを記録した情報通信端末」という）を所持する正規の利用者についてのみ特定領域への進入を許可する。
【００４２】
図４は、実施形態１におけるセキュリティゲート２０の外観を示す斜視図である。なお、図４は、図１におけるセキュリティゲート２０Ａ（２０）の例を示している。セキュリティゲート２０は、ゲート本体２０ａと、第１センサ２６と、第２センサ２７と、リーダ２５と、ゲート表示器７０と、ゲートフラッパ２８とを備える。
【００４３】
ゲート本体２０ａの外面には、上記の第１センサ２６と、第２センサ２７と、リーダ２５と、ゲート表示器７０とが取り付けられている。ゲート本体２０ａは、後述する制御部２１等を収納する筐体である。ゲート本体２０ａは、それぞれ利用者の進入方向に沿うように、配置されている。ゲート本体２０ａは、隣接するセキュリティゲート２０のゲート本体に対して所定距離離間させて配置され、ゲート本体２０ａの側方には、利用者が通過可能な通路ＰＡが形成されている。
【００４４】
リーダ２５は、ゲート本体２０ａの上面の入口２０ｉ側に配置されている。リーダ２５は、セキュリティゲート２０の通路ＰＡに入口２０ｉ側から進入する利用者が所持するＩＤカードまたは情報通信端末から入居者ＩＤまたはゲストＩＤを取得する。リーダ２５の構成については後述する。
【００４５】
ゲート表示器７０は、群管理制御装置１０が行先階を割り当てた号機の情報（以下適宜「割当号機情報」という）等を表示する。ゲート表示器７０の詳細な構成については後述する。
【００４６】
第１センサ２６は、セキュリティゲート２０の通路ＰＡの入口２０ｉ側における利用者の移動を検知する。第１センサ２６及び第２センサ２７は、利用者の移動を検知すると、検知信号を出力する。
【００４７】
第２センサ２７は、セキュリティゲート２０の通路ＰＡの出口２０ｅ側における利用者の移動を検知する。第１センサ２６及び第２センサ２７は、利用者の移動を検知すると、検知信号を出力する。
【００４８】
ゲートフラッパ２８は、開閉自在の扉である。ゲートフラッパ２８は、開くことで、正規の利用者がセキュリティゲート２０を通過することを可能とする。ゲートフラッパ２８は、閉まることで、非正規の利用者がセキュリティゲート２０を通過することを妨げる。
【００４９】
図５は、実施形態１におけるセキュリティゲート２０の電気的構成を示すブロック図である。セキュリティゲート２０は、上述の構成要素に加えてさらに、制御部２１と、記憶部２２と、入出力インタフェース２３とを備える。
【００５０】
記憶部２２は、例えばＲＡＭ、ＲＯＭ、ＨＤＤ、ＳＳＤ等を利用して構成され、プログラム、及び種々のデータを格納している。プログラムは、本実施形態におけるセキュリティゲート２０の各種機能を実現するためのプログラムを含む。
【００５１】
制御部２１は、例えばＣＰＵ、ＭＰＵ等を利用して構成される。制御部２１は、記憶部２２に格納されたプログラムに基づいて種々のデータ等を利用して演算処理を行うことにより、セキュリティゲート２０における後述する各種の機能を実現する。
【００５２】
制御部２１は、第１センサ２６及び第２センサ２７からの検知信号、及びセキュリティサーバ１００からのエラー信号等に基づいて、ゲートフラッパ２８を開閉する。
【００５３】
入出力インタフェース２３は、例えばＬＡＮアダプタ等を利用して構成される。入出力インタフェース２３は、セキュリティゲート２０が、セキュリティサーバ１００との間で各種信号を送受信するためのインタフェースである。入出力インタフェース２３は、制御部２１から出力された信号を所定の形式の信号に変換してセキュリティサーバ１００に出力する。また、入出力インタフェース２３は、セキュリティサーバ１００から入力された信号を所定の形式の信号に変換して制御部２１に出力する。
【００５４】
リーダ２５は、行先階登録装置３０のリーダ３６と同構成のリーダにより構成され、カードリーダ部２５ａと、ＱＲコードリーダ部２５ｂとを有する。具体的には、リーダ２５のカードリーダ部２５ａとＱＲコードリーダ部２５ｂは、図４に示すように、一体的に構成されている。リーダ２５のＱＲコードリーダ部２５ｂは、セキュリティゲート２０のゲート本体２０ａの筐体の上面に臨ませて配置される光学式リーダ（スキャナあるいはカメラ）と、読み取った光学データに含まれるＱＲコードをデコードして出力するデコーダとを備える。カードリーダ部２５ａは、ＱＲコードリーダ部２５ｂの光学式リーダよりも筐体内部側に配置されている。なお、本発明において、リーダ２５は、カードリーダ部２５ａとＱＲコードリーダ部２５ｂとが一体的に構成されたものでなくてもよい。例えば、カードリーダ部２５ａとＱＲコードリーダ部２５ｂとは、セキュリティゲート２０のゲート本体２０ａの筐体の上面や側面の異なる位置に配置されてもよい。
【００５５】
リーダ２５は、ＩＤカードがかざされると、カードリーダ部２５ａにより、ＩＤカードから入居者ＩＤを取得する。リーダ２５は、取得した入居者ＩＤを、認証情報として、制御部２１及び入出力インタフェース２３を介してセキュリティサーバ１００に出力する。なお、このとき、リーダ２５は、制御部２１及び入出力インタフェース２３を介して、当該リーダ２５のデバイスＩＤをあわせてセキュリティサーバ１００に送信する。
【００５６】
リーダ２５は、ＱＲコードがかざされると、ＱＲコードリーダ部２５ｂにより、ＱＲコードを読み取って、読み取ったＱＲコードからゲストＩＤを取得する。リーダ２５は、取得したゲストＩＤを、認証情報として、制御部２１及び入出力インタフェース２３を介してセキュリティサーバ１００に出力する。なお、このとき、リーダ２５は、制御部２１及び入出力インタフェース２３を介して、当該リーダ２５のデバイスＩＤをあわせてセキュリティサーバ１００に送信する。
【００５７】
１−２−６．ゲート表示器
ゲート表示器７０は、セキュリティゲート２０に設置され、当該セキュリティゲート２０のリーダ２５を介して登録された行先階呼びに対して群管理制御装置１０が割り当てた割当号機を示す情報や、割当に関するその他の情報を表示する表示器である。ゲート表示器７０はセキュリティゲート２０に設置されるが、群管理制御装置１０との間で割当号機情報等の信号の授受を直接行う。なお、ゲート表示器７０は、セキュリティゲート２０の制御部２１を介して、群管理制御装置１０との間で信号の授受を行ってもよい。
【００５８】
１−２−７．セキュリティサーバ
セキュリティサーバ１００は、セキュリティゲート２０のリーダ２５または行先階登録装置３０のリーダ３６で取得された入居者ＩＤまたはゲストＩＤに基づいて認証を行うとともに、セキュリティゲート２０の開閉を制御する。また、セキュリティサーバ１００は、エレベータ６０の割当依頼情報を生成し、群管理制御装置１０に出力する。また、セキュリティサーバ１００は、ＱＲコード作成用端末２００からＱＲコード生成依頼情報を受信した場合、ＱＲコードを生成しゲストの情報通信端末に送信する。
【００５９】
図６は、実施形態１におけるセキュリティサーバ１００の電気的構成を示すブロック図である。セキュリティサーバ１００の制御部１０１は、コンピュータを利用して構成され、制御部１０１と、記憶部１０２と、入出力インタフェース１０３と、を備える。
【００６０】
記憶部１０２は、例えばＲＡＭ、ＲＯＭ、ＨＤＤ、ＳＳＤ等を利用して構成され、プログラム、及び種々のデータを格納している。プログラムは、本実施形態のセキュリティサーバ１００の後述する各種機能を実現するためのプログラムを含む。記憶部１０２は、データとして、入居者データベース（以下「入居者ＤＢ」という）及びゲストデータベース（以下「ゲストＤＢ」という）を格納している。入居者ＤＢ及びゲストＤＢの構成については後述する。
【００６１】
また、記憶部１０２は、データとして、セキュリティゲート２０（２０Ａ〜２０Ｃ）の設置階を示す設置階情報を格納している。設置階情報は、セキュリティゲート２０を通過した利用者の出発階情報として利用される。なお、セキュリティゲート２０を複数の階に設置する場合、記憶部１０２に、例えば、セキュリティゲート２０のリーダ２５のデバイスＩＤと設置階情報とを対応付けて記録した設置階情報テーブルを格納しておいてもよい。この場合、セキュリティゲート２０のリーダ２５からデバイスＩＤを受信したときに、設置階情報テーブルからデバイスＩＤに対応付けられている設置階情報を取得し、取得した設置階情報を出発階情報として利用すればよい。
【００６２】
また、記憶部１０２は、データとして、行先階登録装置３０（３０Ａ〜３０Ｚ）の設置階を示す設置階情報を記憶している。設置階情報は、行先階登録装置３０のリーダ３６で行先階登録を行った利用者の出発階情報として利用される。行先階登録装置３０は複数の階に設置されているため、記憶部１０２に、例えば、行先階登録装置３０（３０Ａ〜３０Ｚ）のリーダ３６のデバイスＩＤと設置階情報とを対応付けて記録した設置階情報テーブルを格納しておいてもよい。この場合、行先階登録装置３０（３０Ａ〜３０Ｚ）のリーダ３６からデバイスＩＤを受信したときに、設置階情報テーブルからデバイスＩＤに対応付けられている設置階情報を取得し、取得した設置階情報を出発階情報として利用すればよい。
【００６３】
制御部１０１は、例えばＣＰＵ、ＭＰＵ等を利用して構成される。制御部１０１は、記憶部１０２から読み出した上記プログラムに基づいて種々のデータ等を利用して演算処理を行うことにより、セキュリティサーバ１００における後述する各種の機能を実現する。
【００６４】
入出力インタフェース１０３は、例えばＬＡＮアダプタ等を利用して構成される。入出力インタフェース１０３は、セキュリティサーバ１００が、リーダ３６、群管理制御装置１０、セキュリティゲート２０、及びＱＲコード作成用端末２００との間で各種信号を送受信するためのインタフェースである。入出力インタフェース１０３は、制御部１０１から出力された信号を所定の形式の信号に変換して群管理制御装置１０、行先階登録装置３０、セキュリティゲート２０、及びＱＲコード作成用端末２００に出力する。また、入出力インタフェース１０３は、リーダ３６、群管理制御装置１０、行先階登録装置３０、セキュリティゲート２０、及びＱＲコード作成用端末２００から入力された信号を所定の形式の信号に変換して制御部１０１に出力する。
【００６５】
図７は、実施形態１におけるセキュリティサーバ１００の記憶部１０２に格納されている入居者ＤＢの構成を示す図である。入居者ＤＢは、入居者ＩＤに対応付けて、行先階と、許可階とを記録している。これらの情報は、例えばビル管理者等により予め設定されている。
【００６６】
入居者ＩＤは、ビルの入居者に対して一意に設定された、入居者を識別するための情報である。
【００６７】
行先階は、入居者の行先階としてデフォルトで設定されている階床である。デフォルトの行先階としては、例えば、入居者が入居している階床が設定される。
【００６８】
許可階は、入居者の利用が許可されている階床である、許可階としては、例えば入居者が入居している階床や、ビル内の全入居者が利用できる階床が設定される。全入居者が利用できる階床とは、例えば企業のビルであれば食堂階や会議室階である。なお、本実施形態では、ロビー階については、許可階として登録するまでもなく全ての入居者及びゲストに対してデフォルトで許可されるように構成している。しかし、許可階として登録するようにしてもよい。
【００６９】
図７に示す例では、入居者ＩＤ“０００１”に対応付けて行先階、及び許可階として“１０”、及び“１０，１１，１２”が記録されている。入居者ＩＤ“０００２”に対応付けて行先階、及び許可階として“２０”、及び“１８，１９，２０”が記録されている。なお、図７には示していないが、上記以外の入居者ＩＤについても同様に行先階及び許可階等が対応付けて記録されている。
【００７０】
図８は、実施形態１におけるセキュリティサーバ１００の記憶部１０２に格納されているゲストＤＢの構成を示す図である。ゲストＤＢは、ゲストＩＤに対応付けて、ゲスト名と、ゲストメールアドレスと、入居者ＩＤと、入居者メールアドレスと、行先階と、許可階と、有効期間開始日時と、有効期間終了日時、ゲート通過回数とを記録している。
【００７１】
ゲストＩＤは、ゲスト用の認証情報であり、セキュリティサーバ１００により生成された乱数である。
【００７２】
ゲスト名は、ＱＲコード作成用端末２００を利用して入力されたゲストの名前である。
【００７３】
ゲストメールアドレスは、ＱＲコード作成用端末２００を利用して入力されたゲストのメールアドレスである。
【００７４】
入居者ＩＤは、入居者ＤＢに登録されている入居者ＩＤである。
【００７５】
入居者メールアドレスは、ＱＲコード作成用端末２００を利用して入力された入居者のメールアドレスである。
【００７６】
行先階は、ＱＲコード作成用端末２００を利用して入力されたゲストの行先階である。ゲストの行先階は、入居者の許可階の範囲内で設定可能である。
【００７７】
許可階は、ＱＲコード作成用端末２００を利用して入力されたゲストの利用が許可されている階床である、ゲストの許可階は、入居者の許可階の範囲内で設定可能である。
【００７８】
有効期間開始日時は、ＱＲコード作成用端末２００を利用して入力された有効期間の開始日時である。
【００７９】
有効期間終了日時は、ＱＲコード作成用端末２００を利用して入力された有効期間の終了日時である。
【００８０】
ゲート通過回数は、ゲストがセキュリティゲート２０を入口２０ｉ側から通過した回数である。ゲート通過回数は、ＱＲコード生成依頼情報に基づいてゲストＩＤが登録される際に初期値の０に設定される。
【００８１】
図８に示す例では、ゲストＩＤ“１８９１８９１２”に対応付けてゲスト名、ゲストメールアドレス、入居者ＩＤ、入居者メールアドレス、行先階、許可階、有効期間開始日時、及び有効期間終了日時として“ｐｐｐ”、“ｐｐｐ＠ｐｑｒ．ｃｏ．ｊｐ”、“０００１”、“ａａａ＠ａｂｃ．ｃｏ．ｊｐ”、“１０”、“１０，１１”、“２０１７−０３−１０−０９−４０−００”、及び“２０１７−０３−１０−１５−００−００”が記録されている。ゲストＩＤ“３４５９７２８４”に対応付けてゲスト名、ゲストメールアドレス、入居者ＩＤ、入居者メールアドレス、行先階、許可階、有効期間開始日時、及び有効期間終了日時として“ｑｑｑ”、“ｑｑｑ＠ｒｓｔ．ｃｏ．ｊｐ”、“０００２”、“ｂｂｂ＠ａｂｃ．ｃｏ．ｊｐ”、“２０”、“２０”、“２０１７−０３−１２−１３−００−００”、及び“２０１７−０３−１２−２４−００−００”が記録されている。
【００８２】
１−２−８．ＱＲコード作成用端末
ＱＲコード作成用端末２００は、ロビー階に配置され、入居者によるＱＲコードの生成のためのＱＲコード生成依頼情報を受け付ける端末である。
【００８３】
図９は、実施形態１におけるＱＲコード作成用端末２００の電気的構成を示すブロック図である。ＱＲコード作成用端末２００は、制御部２０１と、記憶部２０２と、入出力インタフェース２０３と、表示部２０４と、操作部２０５と、リーダ２０６とを備える。
【００８４】
記憶部２０２は、例えばＲＡＭ、ＲＯＭ、ＨＤＤ、ＳＳＤ等を利用して構成され、プログラム、及び種々のデータを格納している。プログラムは、本実施形態のＱＲコード作成用端末２００の各種機能を実現するためのプログラムを含む。
【００８５】
制御部２０１は、例えばＣＰＵ、ＭＰＵ等を利用して構成される。制御部２０１は、記憶部２０２から読み出した上記プログラムに基づいて種々のデータ等を利用して演算処理を行うことにより、ＱＲコード作成用端末２００における後述する各種の機能を実現する。
【００８６】
入出力インタフェース２０３は、例えばＬＡＮアダプタ等を利用して構成される。入出力インタフェース２０３は、ＱＲコード作成用端末２００が、セキュリティサーバ１００との間で各種信号を送受信するためのインタフェースである。入出力インタフェース２０３は、制御部２０１から出力された信号を所定の形式の信号に変換してセキュリティサーバ１００に出力する。また、入出力インタフェース２０３は、セキュリティサーバ１００から入力された信号を所定の形式の信号に変換して制御部２０１に出力する。
【００８７】
リーダ２０６は、入居者が所持するＩＤカード（ＩＣカード）から入居者ＩＤを取得する。リーダ２０６は、ＩＣカードのＩＣタグに記録された情報を例えば電磁的に非接触で読み取り可能なリーダである。リーダ２０６は、入居者がかざしたＩＤカードから入居者ＩＤを読み取り、読み取った入居者ＩＤを制御部２０１に出力する。制御部２０１は、入居者ＩＤを、入出力インタフェース２０３を介してセキュリティサーバ１００に出力する。
【００８８】
２．動作
２−１．概要
２−１−１．セキュリティゲートのゲートフラッパの開閉制御
２−１−１−１．セキュリティゲートのリーダにＩＤカードがかざされたとき
セキュリティゲート２０のゲートフラッパ２８の開閉制御について時系列的に説明する。ゲートフラッパ２８は閉状態をデフォルトとする。入居者が、正規な入居者ＩＤが登録されたＩＤカードをリーダ２５に接触させあるいは近接させながらセキュリティゲート２０（２０Ａ〜２０Ｃ）に進入すると、リーダ２５のカードリーダ部２５ａにより、ＩＤカードから入居者ＩＤが読み取られ（取得され）、リーダ２５からセキュリティサーバ１００に入居者ＩＤが送信される。なおこのとき、当該リーダ２５からは当該リーダ２５のデバイスＩＤも送信される。受信した入居者ＩＤが正規なものである場合、セキュリティサーバ１００の制御部１０１は、エラー信号を送信しない。この場合、制御部２１は、ゲートフラッパ２８を開状態に制御する。これにより、入居者は、セキュリティゲート２０を通過することができる。
【００８９】
一方、受信した入居者ＩＤが正規なものでない場合、セキュリティサーバ１００は、エラー信号を、デバイスＩＤが示すリーダ２５が配備されたセキュリティゲート２０に送信する。この場合、セキュリティゲート２０の制御部２１は、ゲートフラッパ２８を閉状態で維持する。そのため、正規でない入居者ＩＤを格納するＩＤカードをかざした入居者は、セキュリティゲート２０を通過することができない。
【００９０】
２−１−１−２．セキュリティゲートのリーダにＱＲコードがかざされたとき
ゲストが、正規なゲストＩＤを格納するＱＲコードをセキュリティゲート２０（２０Ａ〜２０Ｃ）のリーダ２５にかざすと、リーダ２５のＱＲコードリーダ部２５ｂによりＱＲコードが読み取られ、読み取られたＱＲコードからゲストＩＤが抽出（取得）され、リーダ２５からセキュリティサーバ１００にゲストＩＤが送信される。なおこのとき、当該リーダ２５からは当該リーダ２５のデバイスＩＤも送信される。受信したゲストＩＤが正規なものである場合、セキュリティサーバ１００は、エラー信号を送信しない。この場合、制御部２１は、ゲートフラッパ２８を開状態に制御する。これにより、正規なＱＲコードをかざしたゲストがセキュリティゲート２０を通過することができる。
【００９１】
一方、受信したゲストＩＤが正規なものでない場合、セキュリティサーバ１００は、エラー信号を、ゲストＩＤの送信元のリーダ２５が配備されたセキュリティゲート２０に送信する。この場合、セキュリティゲート２０の制御部２１は、ゲートフラッパ２８を閉状態で維持する。そのため、正規でないゲストＩＤを格納するＱＲコードをかざしたゲストは、セキュリティゲート２０を通過することができない。
【００９２】
２−１−１−３．セキュリティゲートのリーダにＩＤカード及びＱＲコードがかざされていないにもかかわらず、第１センサからの信号を受信したとき
過去所定時間内にセキュリティゲート２０のリーダ２５にＩＤカードもＱＲコードもかざされていないにもかかわらず、第１センサ２６からの信号を受信した場合、当該セキュリティゲート２０の制御部２１は、ゲートフラッパ２８を閉状態で維持する。ＩＤカードやＱＲコードを有していない非正規の利用者がセキュリティゲート２０を通過しようとしている可能性があり、これを阻止するためである。
【００９３】
このように、正規の利用者は特定領域に進入することができるが、非正規の利用者は特定領域に進入できない。よって、ビル内のセキュリティが確保される。
【００９４】
２−１−２．号機割当制御等
２−１−２−１．セキュリティゲートのリーダにＩＤカードがかざされたとき
セキュリティサーバ１００は、セキュリティゲート２０のリーダ２５にＩＤカードがかざされたとき、入居者ＤＢを参照して入居者ＩＤが正規なものであるか否かを判断し、入居者ＩＤが正規なものであるとき、入居者ＤＢから、当該入居者ＩＤに対応付けられている行先階を読み込む。そして、セキュリティサーバ１００は、出発階と、行先階と、セキュリティゲート２０のデバイスＩＤとを、割当依頼情報として、群管理制御装置１０に送信する。
【００９５】
群管理制御装置１０は、割当依頼情報（出発階、行先階、デバイスＩＤ）を受信した場合、受信した割当依頼情報に基づいて割当号機を決定する。そして、群管理制御装置１０は、決定した割当号機を示す割当号機情報を、デバイスＩＤが示すセキュリティゲート２０のゲート表示器７０に送信する。なお、群管理制御装置１０は、複数台のセキュリティゲート２０のデバイスＩＤと、各セキュリティゲート２０のゲート表示器７０とを対応付けるためのテーブルを記憶部１２に格納している。
【００９６】
ゲート表示器７０は、群管理制御装置１０から割当号機情報を受信すると、受信した割当号機情報を表示する。
【００９７】
２−１−２−２．セキュリティゲートのリーダにＱＲコードがかざされたとき
セキュリティサーバ１００は、セキュリティゲート２０のリーダ２５にＱＲコードがかざされたとき、ゲストＤＢを参照してゲストＩＤが正規なものであるか否かを判断する。ゲストＩＤが正規なものであるとき、セキュリティサーバ１００は、ゲストＤＢから、当該ゲストＩＤに対応付けられている行先階を読み込む。そして、セキュリティサーバ１００は、出発階と、行先階と、ゲスト名と、入居者メールアドレスと、セキュリティゲート２０のデバイスＩＤとを、割当依頼情報として、群管理制御装置１０に送信する。
【００９８】
群管理制御装置１０は、割当依頼情報（出発階、行先階、ゲスト名、入居者メールアドレス、デバイスＩＤ）を受信した場合、受信した割当依頼情報に基づいて割当号機を決定する。そして、群管理制御装置１０は、決定した割当号機を示す割当号機情報を、割当依頼情報に含まれるデバイスＩＤが示すセキュリティゲート２０のゲート表示器７０に送信する。
【００９９】
ゲート表示器７０は、群管理制御装置１０から割当号機情報を受信すると、受信した割当号機情報を表示する。
【０１００】
また、群管理制御装置１０は、ゲスト到着メールを、割当依頼情報が示す入居者メールアドレス宛に送信する。
【０１０１】
２−１−２−３．行先階登録装置のリーダにＩＤカードがかざされたとき
セキュリティサーバ１００は、行先階登録装置３０のリーダ３６にＩＤカードがかざされたとき、入居者ＤＢを参照して入居者ＩＤが正規なものであるか否かを判断する。入居者ＩＤが正規なものであるとき、セキュリティサーバ１００は、入居者ＤＢから、当該入居者ＩＤに対応付けられている行先階を読み込む。そして、セキュリティサーバ１００は、出発階と、行先階と、行先階登録装置３０のデバイスＩＤとを、割当依頼情報として、群管理制御装置１０に送信する。
【０１０２】
群管理制御装置１０は、割当依頼情報（出発階、行先階、デバイスＩＤ）を受信した場合、受信した割当依頼情報に基づいて割当号機を決定する。そして、群管理制御装置１０は、決定した割当号機を示す割当号機情報を、割当依頼情報に含まれるデバイスＩＤが示す行先階登録装置３０に送信する。
【０１０３】
行先階登録装置３０は、群管理制御装置１０から割当号機情報を受信すると、受信した割当号機情報を表示部３４に表示する。
【０１０４】
なお、行先階登録装置３０は、前述のように、セキュリティゲート２０の通過時に割り当てられた号機に乗り遅れた場合だけでなく、入居者がデフォルトの行先階以外の階床に行きたい場合にも利用されるため、行先階登録装置３０のリーダ３６にＩＤカードがかざされたときに、セキュリティサーバ１００は、例えば、当該ＩＤカードの入居者ＩＤに対応付けられている許可階を行先階登録装置３０に送信し、行先階登録装置３０において許可階の中から選択可能なようにしてもよい。
【０１０５】
２−１−２−４．行先階登録装置のリーダにＱＲコードがかざされたとき
セキュリティサーバ１００は、行先階登録装置３０のリーダ３６にＱＲコードがかざされたとき、ゲストＤＢを参照してゲストＩＤが正規なものであるか否かを判断する。ゲストＩＤが正規なものであるとき、セキュリティサーバ１００は、ゲストＤＢから、当該ゲストＩＤに対応付けられている行先階を読み込む。そして、セキュリティサーバ１００は、出発階と、行先階と、ゲスト名と、入居者メールアドレスと、行先階登録装置３０のデバイスＩＤとを、割当依頼情報として、群管理制御装置１０に送信する。
【０１０６】
群管理制御装置１０は、割当依頼情報（出発階、行先階、ゲスト名、入居者メールアドレス、デバイスＩＤ）を受信した場合、受信した割当依頼情報に基づいて割当号機を決定する。そして、群管理制御装置１０は、決定した割当号機を示す割当号機情報を、割当依頼情報に含まれるデバイスＩＤが示す行先階登録装置３０に送信する。
【０１０７】
行先階登録装置３０は、群管理制御装置１０から割当号機情報を受信すると、受信した割当号機情報を表示部３４に表示する。
【０１０８】
また、群管理制御装置１０は、ゲスト到着メールを、割当依頼情報が示す入居者メールアドレス宛に送信する。
【０１０９】
２−１−３．ＱＲコード生成動作
ＱＲコード作成用端末２００は、入居者（作成者）により、リーダ２０６にＩＤカードがかざされ、操作部２０５を介して、ゲスト名、ゲストメールアドレス、ゲストの行先階、ゲストの許可階、入居者メールアドレス、有効期間開始日時、及び有効期間終了日時の入力が行われ、かつ確定の操作が行われた場合、ＩＤカードから取得した入居者ＩＤと、上記の入力された情報をセキュリティサーバ１００に送信する。ＱＲコード作成用端末２００は、セキュリティサーバ１００から登録完了のデータを受信すると、表示部２０４に登録完了のメッセージを表示する。
【０１１０】
セキュリティサーバ１００は、有効期間開始日時の所定時間Ｔ前になると、ゲストの情報通信端末にゲストメールアドレスに基づいて、ＱＲコードを送信する。
【０１１１】
２−２．具体的動作
各装置の具体的動作について説明する。
【０１１２】
２−２−１．セキュリティサーバがセキュリティゲートのリーダから認証情報を受信したときの動作
図１０Ａは、実施形態１におけるセキュリティサーバ１００がセキュリティゲート２０のリーダ２５から認証情報を受信したときの動作を説明するフローチャートである。
【０１１３】
セキュリティサーバ１００の制御部１０１は、セキュリティゲート２０から認証情報を受信したか否かを判断する（Ｓ１１）。
【０１１４】
認証情報を受信していない場合（Ｓ１１でＮＯ）、セキュリティサーバ１００の制御部１０１は、本ステップＳ１１の判断を再度実行する。
【０１１５】
認証情報を受信した場合（Ｓ１１でＹＥＳ）、セキュリティサーバ１００の制御部１０１は、受信した認証情報がセキュリティゲート２０のＱＲコードリーダ部２５ｂで読み取られた情報か否かを判断する（Ｓ１２）。例えば、セキュリティサーバ１００の制御部１０１は、受信した認証情報がＱＲコードから読み取られた情報か否かを、受信した認証情報の形式がＱＲコードから読み取られた情報の形式と一致しているか否かに基づいて判断する。例えば、ＱＲコードから読み取られたか否かを示すフラグ等の情報を認証情報に付加しておけば、受信した認証情報がＱＲコードから読み取られた情報か否かを判断することができる。また、認証情報としての入居者ＩＤとゲストＩＤの文字数を異ならせておけば、受信した認証情報がＱＲコードから読み取られた情報か否かを判断することができる。
【０１１６】
受信した認証情報がＱＲコードリーダ部２５ｂで読み取られた情報でない場合（Ｓ１２でＮＯ）、セキュリティサーバ１００の制御部１０１は、受信した認証情報が、入居者ＤＢに登録されている入居者ＩＤか否かを判断する（Ｓ１３）。
【０１１７】
受信した認証情報が入居者ＤＢに登録されている入居者ＩＤである場合（Ｓ１３でＹＥＳ）、セキュリティサーバ１００の制御部１０１は、入居者ＤＢから、受信した入居者ＩＤに対応付けられている行先階を読み出す（Ｓ１４）。
【０１１８】
セキュリティサーバ１００の制御部１０１は、出発階と、読み出した行先階と、認証情報（入居者ＩＤ）の送信元のリーダ２５が配備されたセキュリティゲート２０のデバイスＩＤとを、割当依頼情報として、群管理制御装置１０に送信する（Ｓ１５）。出発階としては、前述のように、認証情報（入居者ＩＤ）の送信元のリーダ２５が配備されたセキュリティゲート２０の設置階が用いられる。
【０１１９】
ステップＳ１３の判断において、受信した認証情報が入居者ＤＢに登録されている入居者ＩＤでない場合（Ｓ１３でＮＯ）、セキュリティサーバ１００の制御部１０１は、認証情報（入居者ＩＤ）の送信元のリーダ２５が配備されたセキュリティゲート２０にエラー信号を送信する（Ｓ２３）。セキュリティゲート２０の制御部２１は、エラー信号を受信すると、ゲートフラッパ２８を閉じた状態に制御し、非正規の利用者がセキュリティゲート２０を通過することを規制する。
【０１２０】
ステップＳ１２の判断において、受信した認証情報がＱＲコードリーダ部２５ｂで読み取られた情報である場合（Ｓ１２でＹＥＳ）、セキュリティサーバ１００の制御部１０１は、受信した認証情報がゲストＤＢに登録されているゲストＩＤであるか否かを判断する（Ｓ１６）。
【０１２１】
受信した認証情報がゲストＤＢに登録されているゲストＩＤである場合（Ｓ１６でＹＥＳ）、セキュリティサーバ１００の制御部１０１は、ゲストＤＢから、受信したゲストＩＤに対応付けられているゲスト名、入居者メールアドレス、行先階、有効期間開始日時、有効期間終了日時を読み出す（Ｓ１７）。
【０１２２】
セキュリティサーバ１００の制御部１０１は、受信したゲストＩＤに対応付けられているゲート通過回数が０より大きいか否かを判断する（Ｓ１８）。つまり、受信したゲストＩＤに対応付けられているゲストが既にゲートを通過しているか否かが判断される。
【０１２３】
ゲート通過回数が０より大きくない場合（Ｓ１８でＮＯ）、セキュリティサーバ１００の制御部１０１は、現在時刻がゲストＩＤの有効期間内にあるか否かを判断する（Ｓ１９）。具体的に、セキュリティサーバ１００の制御部１０１は、現在時刻がゲストＩＤの有効期間開始日時と有効期間終了日時との間の時刻である場合、受信したゲストＩＤが有効期間内のものであると判断する。一方、現在時刻がゲストＩＤの有効期間開始日時の前である場合、セキュリティサーバ１００の制御部１０１は、受信したゲストＩＤが有効期間内のものでないと判断する。なお、現在時刻がゲストＩＤの有効期間終了日時の後である場合、当該ゲストＩＤ及びそれに対応付けられているデータは記憶部１０２から既に消去されているため、ステップＳ１６において、受信した認証情報がゲストＤＢに登録されているゲストＩＤでない（ＮＯ）と判断される。そのため、この場合、ステップＳ１９の判断が行われることはない。
【０１２４】
有効期間内にある場合（Ｓ１９でＹＥＳ）、セキュリティサーバ１００の制御部１０１は、受信したゲストＩＤに対応付けられているゲート通過回数を“１”に設定する（Ｓ２０）。
【０１２５】
セキュリティサーバ１００の制御部１０１は、出発階と、読み出した行先階と、ゲスト名と、入居者メールアドレスと、認証情報（ゲストＩＤ）の送信元のリーダ２５が配備されたセキュリティゲート２０のデバイスＩＤとを、割当依頼情報として、群管理制御装置１０に送信する（Ｓ２１）。出発階としては、前述のように、認証情報（ゲストＩＤ）の送信元のリーダ２５が配備されたセキュリティゲート２０の設置階が用いられる。
【０１２６】
ステップＳ１６の判断において、受信した認証情報がゲストＤＢに登録されているゲストＩＤでない場合（Ｓ１６でＮＯ）、ステップＳ１８の判断においてゲート通過回数が０より大きい場合（Ｓ１８でＹＥＳ）、及びステップＳ１９の判断において現在時刻が有効期間内にない場合（Ｓ１９でＮＯ）、セキュリティサーバ１００の制御部１０１は、認証情報（ゲストＩＤ）の送信元のリーダ２５が配備されたセキュリティゲート２０の制御部２１にエラー信号を送信する（Ｓ２２）。
【０１２７】
ステップＳ２２のエラー信号を受信すると、セキュリティゲート２０の制御部２１では、ゲートフラッパ２８を閉じた状態に制御し、非正規の利用者がセキュリティゲート２０を通過することを規制する。
【０１２８】
２−２−２．セキュリティサーバが行先階登録装置のリーダからゲストＩＤを受信したときの動作
図１０Ｂは、実施形態１におけるセキュリティサーバ１００が行先階登録装置３０のリーダ３６からゲストＩＤを受信したときの動作を説明するフローチャートである。
【０１２９】
セキュリティサーバ１００の制御部１０１は、行先階登録装置３０のリーダ３６からゲストＩＤを受信したか否かを判断する（Ｓ８１）。
【０１３０】
ゲストＩＤを受信していない場合（Ｓ８１でＮＯ）、セキュリティサーバ１００の制御部１０１は、本ステップＳ８１の判断を再度実行する。
【０１３１】
ゲストＩＤを受信した場合（Ｓ８１でＹＥＳ）、セキュリティサーバ１００の制御部１０１は、受信したゲストＩＤが有効期間内のものか否かを判断する（Ｓ８２）。この判断は、前述したステップＳ１９と同じ判断基準で行われる。
【０１３２】
受信したゲストＩＤが有効期間内のものである場合（Ｓ８２でＹＥＳ）、セキュリティサーバ１００の制御部１０１は、群管理制御装置１０に、許可階を送信し（Ｓ８３）、ステップＳ８１の処理に戻る。許可階が送信される際、あわせて、ゲストＩＤの送信元のリーダ３６を有する行先階登録装置３０のデバイスＩＤが群管理制御装置１０に送信される。
【０１３３】
受信したゲストＩＤが有効期間内のものでない場合（Ｓ８２でＮＯ）、セキュリティサーバ１００の制御部１０１は、行先階としてロビー階（所定階の一例）を設定した割当依頼情報を群管理制御装置１０に送信し（Ｓ８４）、ステップＳ８１の処理に戻る。許可階が送信される際、あわせて、ゲストＩＤの送信元のリーダ３６を有する行先階登録装置３０のデバイスＩＤが群管理制御装置１０に送信される。
【０１３４】
２−２−３．群管理制御装置がセキュリティサーバから割当依頼情報を受信したときの動作
図１１Ａは、実施形態１における群管理制御装置１０がセキュリティサーバ１００から割当依頼情報を受信したときの動作を説明するフローチャートである。
【０１３５】
群管理制御装置１０の制御部１１は、セキュリティサーバ１００から割当依頼情報を受信したか否かを判断する（Ｓ３１）。
【０１３６】
受信していない場合（Ｓ３１でＮＯ）、群管理制御装置１０の制御部１１は、ステップＳ３１の処理を再度実行する。
【０１３７】
受信している場合（Ｓ３１でＹＥＳ）、群管理制御装置１０の制御部１１は、割当依頼情報が示す出発階及び行先階について最適な号機を選択し、割当号機として設定する（Ｓ３２）。
【０１３８】
最適な号機の選択は例えば以下のように行われる。群管理制御装置１０の制御部１１は、まず、各エレベータの運行情報に基づいて、行先階呼びに係る行先階を割り当てるべきエレベータ（割当号機）を選択するための評価値を、エレベータ（号機）毎に算出する。ここで、各エレベータの運行情報は、例えば、各エレベータのかご状態（かごの位置、走行方向、ドアの開閉状態、荷重等を含む）、予測される待ち時間（行先階呼びが発生してから割当号機が出発階（出発階）に到着するまでの時間）、予測されるサービス完了時間（行先階呼びが発生してから割当号機が行先階に到着するまでの時間）、かごの予定される停止回数（サービス完了までの間に予定されるエレベータの停止回数）などを示す情報を含む。上記評価値の算出後、群管理制御装置１０は、エレベータ６０Ａ〜６０Ｆのうちから例えば最も小さい評価値を有するエレベータを最適な号機として選択し、行先階を、選択したエレベータに割り当てる。なお、群管理制御装置１０は、この方法以外に、一般的に知られている他の方法を用いて行先階をいずれかのエレベータに割り当ててもよい。
【０１３９】
割当号機を決定すると、群管理制御装置１０の制御部１１は、決定した割当号機を示す割当号機情報を、割当依頼情報に含まれるデバイスＩＤが示すセキュリティゲート２０のゲート表示器７０または行先階登録装置３０に送信する（Ｓ３３）。これにより、ゲート表示器７０または行先階登録装置３０の表示部３４において、割当号機名等が表示される。
【０１４０】
群管理制御装置１０の制御部１１は、ステップＳ３１で受信した割当依頼情報にゲスト名が含まれているか否かを判断する（Ｓ３４）。
【０１４１】
割当依頼情報にゲスト名が含まれていない場合（Ｓ３４でＮＯ）、群管理制御装置１０の制御部１１は、ステップＳ３１に戻る。
【０１４２】
割当依頼情報にゲスト名が含まれている場合（Ｓ３４でＹＥＳ）、群管理制御装置１０の制御部１１は、ゲストの到着を入居者に報知する電子メール（ゲスト到着メール）を、ステップＳ３１で受信した割当依頼情報に含まれる入居者メールアドレス宛に送信する（Ｓ３５）。
【０１４３】
図１１Ｂは、実施形態１における群管理制御装置１０が生成するゲスト到着メールの内容の一例を示す図である。ゲスト到着メールには、図１１Ｂに示すように、ゲストが到着したことや、到着した日時、ゲスト名、出発階、行先階、乗車号機名等が記載される。ゲスト名としては、割当依頼情報に含まれているゲスト名が設定される。出発階及び行先階としては、割当依頼情報に含まれている出発階及び行先階が設定される。乗車号機名としては、ステップＳ３２で割り当てた号機名が設定される。このようなゲスト到着メールにより、入居者は、ゲストが到着したことをタイムリーに認識することができる。そのため、入居者は、ゲストを、例えば行先階（入居者の入居階または許可階）のエレベータ乗場や自宅の玄関でスムーズに出迎えることが可能となる。
【０１４４】
なお、アプリによりゲストの到着やゲストの現在の状態を入居者の情報通信端末に表示させてもよい。入居者の情報通信端末への情報の提供は、群管理制御装置１０が行う。図１１Ｄは、実施形態１における情報通信端末の表示部にアプリにより表示される画面の一例を示す図である。アプリは、ゲスト名と、乗車号機名と、エレベータの現在位置及び走行方向と、セキュリティゲート２０通過後のゲストの状態に関するメッセージを表示させる。図１１Ｄの例では、ゲスト名として“ＰＰＰ”、乗車号機名として“Ａ号機”、エレベータの現在位置及び走行方向として“９階”及び“上方向”、メッセージとして“まもなくゲストが１０階に到着します”と表示されている。エレベータの現在位置及び走行方向としては、群管理制御装置１０がエレベータ制御装置４０から逐次受信している現在階床及び走行方向のデータを用いることができる。また、ゲストの状態に関するメッセージは、上記の現在階床及び走行方向のデータ等に基づいて群管理制御装置１０により生成され、群管理制御装置１０から入居者の情報通信端末に送信される。情報通信端末は、ゲストの状態に関するメッセージを受信すると、表示部に表示させる。
【０１４５】
例えば、ゲストの状態に関するメッセージとして、群管理制御装置１０は、セキュリティサーバ１００から割当依頼情報を受信すると、“ゲストがセキュリティゲートを通過しました”というメッセージを情報通信端末に送信する。また、群管理制御装置１０は、割当号機がセキュリティゲート２０の設置階（ロビー階）に向かって走行しているとき、“ロビー階に向かって走行中です”というメッセージを情報通信端末に送信する。また、群管理制御装置１０は、割当号機がロビー階で停止しているとき、“ロビー階でゲストが乗車中です”というメッセージを情報通信端末に送信する。また、群管理制御装置１０は、割当号機が途中階で停止しているとき、“２階で停止中です”というメッセージを情報通信端末に送信する。また、群管理制御装置１０は、割当号機が行先階（入居者が行先階として設定した階床）に到着する直前に、“まもなくゲストが１０階に到着します”というメッセージを情報通信端末に送信する。図１１Ｄは、割当号機が行先階（入居者が行先階として設定した階床）に到着する直前におけるアプリの表示例を示しており、“まもなくゲストが１０階に到着します”と表示されている。
【０１４６】
このようなアプリによれば、入居者は、ゲストの状態をよりタイムリーに認識できる。
【０１４７】
２−２−４．群管理制御装置がセキュリティサーバから許可階を受信したときの動作
図１１Ｃは、実施形態１における群管理制御装置１０がセキュリティサーバ１００から許可階を受信したときの動作を説明するフローチャートである。
【０１４８】
群管理制御装置１０の制御部１１は、セキュリティサーバ１００から許可階を受信したか否かを判断する（Ｓ９１）。
【０１４９】
セキュリティサーバ１００から許可階を受信していない場合（Ｓ９１でＮＯ）、群管理制御装置１０の制御部１１は、本ステップＳ９１の処理を再度実行する。
【０１５０】
セキュリティサーバ１００から許可階を受信した場合（Ｓ９１でＹＥＳ）、群管理制御装置１０の制御部１１は、受信した許可階を、操作元の行先階登録装置３０に送信する。
【０１５１】
２−２−４．行先階登録装置の具体的動作
図１２Ａは、実施形態１における行先階登録装置３０の動作を説明するフローチャートである。
【０１５２】
行先階登録装置３０の制御部３１は、表示部３４に案内画面を表示させる（Ｓ１０１）。案内画面の内容は、例えば「ＱＲコードまたはＩＤカードをかざしてください」という内容である。
【０１５３】
行先階登録装置３０の制御部３１は、群管理制御装置１０から情報を受信した場合（Ｓ１０２でＹＥＳ）、受信した情報が許可階の情報と割当号機情報とのいずれの情報かを判断する（Ｓ１０３）。ここで、行先階登録装置３０の表示部３４に案内画面が表示されているときに、行先階登録装置３０が群管理制御装置１０から情報を受信することは、行先階登録装置３０のリーダ３６にＩＤカードまたはＱＲコードがかざされたことの応答として発生する。
【０１５４】
受信した情報が許可階の情報である場合（Ｓ１０３の許可階情報）、行先階登録装置３０の制御部３１は、受信した許可階の情報が示す許可階を表示部３４に表示させる（Ｓ１０４）。
【０１５５】
行先階登録装置３０の制御部３１は、表示部３４に表示した許可階のいずれかにタッチ操作があったか否かを判断する（Ｓ１０５）。
【０１５６】
タッチ操作があった場合（Ｓ１０５でＹＥＳ）、行先階登録装置３０の制御部３１は、タッチ操作された許可階を行先階として群管理制御装置１０に送信する（Ｓ１０６）。
【０１５７】
タッチ操作がない場合（Ｓ１０５でＮＯ）、行先階登録装置３０の制御部３１は、ステップＳ１０５の処理を再度実行する。
【０１５８】
行先階登録装置３０の制御部３１は、割当号機情報を受信したか否かを判断する（Ｓ１０７）。
【０１５９】
割当号機情報を受信した場合（Ｓ１０７でＹＥＳ）、行先階登録装置３０の制御部３１は、受信した割当号機情報が示す割当号機等を表示部３４に表示させ（Ｓ１０８）、ステップＳ１０１の処理に戻る。
【０１６０】
割当号機情報を受信しない場合（Ｓ１０７でＮＯ）、行先階登録装置３０の制御部３１は、ステップＳ１０７の処理を再度実行する。
【０１６１】
上記ステップＳ１０２において、群管理制御装置１０から情報を受信していない場合（Ｓ１０２でＮＯ）、行先階登録装置３０の制御部３１は、ステップＳ１０１の処理を実行する。
【０１６２】
上記ステップＳ１０３において、受信した情報が割当号機情報である場合（Ｓ１０３の割当号機情報）、行先階登録装置３０の制御部３１は、受信した割当号機情報が示す割当号機等を表示部３４に表示させ、ステップＳ１０１の処理に戻る（Ｓ１０８）。
【０１６３】
図１２Ｂは、行先階登録装置３０の表示部３４の表示例を示す図である。行先階登録装置３０は、まず、図１２Ｂ（ａ）のように、表示部３４に「ＱＲコードまたはＩＤカードをかざしてください」という表示を行う。この状態のときに、行先階登録装置３０のリーダ３６にＱＲコードがかざされ、かつかざされたＱＲコード（ゲストＩＤ）の有効期間内である場合、図１２Ｂ（ｂ）のように行先階登録装置３０の表示部３４に許可階のボタンが表示される。この例では、許可階として１０階及び１１階のボタンが表示されている。そして、表示部３４（操作部３５）で例えば１０階のボタンがタッチされると、行先階登録装置３０から群管理制御装置１０に行先階として１０階が選択されたことを示す情報が送信され、これに対する応答として、群管理制御装置１０から行先階登録装置３０に、割当号機情報が送信される。そして、図１２Ｂ（ｃ）のように、行先階登録装置３０の表示部３４に、１０階がＡ号機に割り当てられたことが表示される。
【０１６４】
一方、行先階登録装置３０のリーダ３６にＱＲコードがかざされた場合において、ＱＲコード（ゲストＩＤ）の有効期間内でない場合、図１２Ｂ（ｄ）のように、行先階登録装置３０の表示部３４に１階（ロビー階）がＡ号機に割り当てられたことが表示される。ここで、有効期間が経過した後に行先階登録装置３０のリーダ３６にＱＲコードがかざされることは、ゲストが入居者宅から帰る際にエレベータに乗車しようとしているものと想定される。そのため、セキュリティサーバ１００は、行先階として１階（ロビー階）を群管理制御装置１０に送信する。群管理制御装置１０は、行先階としての１階（ロビー階）に号機を割り当てて、行先階登録装置３０の表示部３４に、行先階としての１階（ロビー階）と、割り当てた号機を表示させる。本例では、一例として、１階がＡ号機に割り当てられたことが表示されている。
【０１６５】
２−２−５．ＱＲコード作成用端末の具体的動作
図１３は、実施形態１におけるＱＲコード作成用端末２００の動作を説明するフローチャートである。
【０１６６】
ＱＲコード作成用端末２００の制御部２０１は、表示部２０４に案内画面を表示させる（Ｓ４１）。案内画面の内容は、例えば「ゲストのためのＱＲコードを生成する場合、ＩＤカードをかざしてください」という内容である。
【０１６７】
ＱＲコード作成用端末２００の制御部２０１は、リーダ２０６から認証情報（入居者ＩＤ）を受信したか否かを判断する（Ｓ４２）。つまり、リーダ２０６に入居者によりＩＤカードがかざされたか否かが判断される。
【０１６８】
リーダ２０６から認証情報（入居者ＩＤ）を受信していない場合（Ｓ４２でＮＯ）、ＱＲコード作成用端末２００の制御部２０１は、ステップＳ４１に戻る。
【０１６９】
リーダ２０６から認証情報（入居者ＩＤ）を受信した場合（Ｓ４２でＹＥＳ）、ＱＲコード作成用端末２００の制御部２０１は、ゲストの情報の入力を受け付ける入力画面を表示部２０４に表示させる（Ｓ４２Ａ）。入力画面には、ゲスト名、ゲストメールアドレス、入居者メールアドレス、ゲストの行先階及び許可階、有効期間開始日時、及び有効期間終了日時等のゲスト情報の入力欄、確定釦、取消釦等が表示される。
【０１７０】
ＱＲコード作成用端末２００の制御部２０１は、認証情報（入居者ＩＤ）を取得してから所定時間が経過したか、または取消釦が押されたか否かを判断する（Ｓ４２Ｂ）。所定時間は、一般的な利用者が上記のゲストの情報を入力するのに要する時間に基づいて設定され、例えば２分である。
【０１７１】
所定時間が経過した、または取消釦が押されたと判断した場合（Ｓ４２ＢでＹＥＳ）、ＱＲコード作成用端末２００の制御部２０１は、ステップＳ４１に戻る。次のステップＳ４３でＹＥＳと判断される前に所定時間が経過した場合、入居者によるＱＲコード生成操作が途中で止められた可能性がある。そのため、ＱＲコード作成用端末２００の制御部２０１は、ステップＳ４１に戻り、表示部２０４に案内画面を表示させる。また、取消釦が押されたことは、ＱＲコード生成操作が中止されたことを意味するので、ステップＳ４１の処理に戻る。
【０１７２】
一方、所定時間が経過しておらず、かつ取消釦が押されていないと判断した場合（Ｓ４２ＢでＮＯ）、ＱＲコード作成用端末２００の制御部２０１は、操作部２０５を介して入居者（作成者）により、ゲスト名、ゲストメールアドレス、入居者メールアドレス、ゲストの行先階及び許可階、有効期間開始日時、及び有効期間終了日時の入力が行われ、かつ確定釦で確定の操作が行われたか否かを判断する（Ｓ４３）。ゲスト名は、ゲストがセキュリティゲート２０を通過した際に、入居者にゲストの到着メールを送信するために用いられるものであり、入居者を認識可能であればどのようなものでもよい。入居者メールアドレスは、入居者にゲスト到着メールを送信するためのものであり、ゲスト到着メールを送信できれば、個人のメールアドレス、社内のメールアドレス等どのようなものでもよい。
【０１７３】
確定操作が行われていない場合（Ｓ４３でＮＯ）、ＱＲコード作成用端末２００の制御部２０１は、ステップＳ４３の判断を再度実行する。
【０１７４】
確定操作が行われた場合（Ｓ４３でＹＥＳ）、ＱＲコード作成用端末２００の制御部２０１は、リーダ２０６から受信した入居者ＩＤと、操作部２０５を介して入居者（作成者）により入力された上記の各情報（ゲスト名、ゲストメールアドレス、入居者メールアドレス、ゲストの行先階、ゲストの許可階、有効期間開始日時、有効期間終了日時）を、セキュリティサーバ１００に送信する（Ｓ４４）。なお、送信されるこれらの情報を以下適宜「ＱＲコード生成依頼情報」という。
【０１７５】
ＱＲコード作成用端末２００の制御部２０１は、セキュリティサーバ１００から登録完了を示すデータを受信したか否かを判断する（Ｓ４５）。
【０１７６】
セキュリティサーバ１００から登録完了を示すデータを受信していない場合（Ｓ４５でＮＯ）、ＱＲコード作成用端末２００の制御部２０１は、ステップＳ４５の判断を再度実行する。
【０１７７】
セキュリティサーバ１００から登録完了を示すデータを受信した場合（Ｓ４５でＹＥＳ）、ＱＲコード作成用端末２００の制御部２０１は、表示部２０４に、登録完了のメッセージを表示させる（Ｓ４６）。
【０１７８】
２−２−６．セキュリティサーバ１００がＱＲコード生成依頼情報を受信したときの具体的動作
図１４は、実施形態１におけるセキュリティサーバ１００がＱＲコード作成用端末２００からＱＲコード生成依頼情報を受信したときの動作を説明するフローチャートである。
【０１７９】
セキュリティサーバ１００の制御部１０１は、ＱＲコード作成用端末２００からＱＲコード生成依頼情報を受信したか否かを判断する（Ｓ５１）。
【０１８０】
ＱＲコード生成依頼情報を受信していない場合（Ｓ５１でＮＯ）、セキュリティサーバ１００の制御部１０１は、ステップＳ５１の判断を再度実行する。
【０１８１】
ＱＲコード生成依頼情報を受信した場合（Ｓ５１でＹＥＳ）、セキュリティサーバ１００の制御部１０１は、ＱＲコード生成依頼情報に含まれている情報に基づいて、以下の各種の処理を行う。ＱＲコード生成依頼情報には、前述のように、入居者ＩＤ、ゲスト名、ゲストメールアドレス、入居者メールアドレス、ゲストの行先階、ゲストの許可階、有効期間開始日時、有効期間終了日時の情報が含まれている。セキュリティサーバ１００の制御部１０１は、まず、ＱＲコード生成依頼情報に含まれている入居者ＩＤが、入居者ＤＢに登録されているか否かを判断する（Ｓ５２）。
【０１８２】
入居者ＩＤが入居者ＤＢに登録されている場合（Ｓ５２でＹＥＳ）、セキュリティサーバ１００の制御部１０１は、ゲストの行先階が、入居者ＤＢにおいて入居者ＩＤに対応付けられている入居者の許可階に含まれているか否かを判断する（Ｓ５３）。
【０１８３】
ゲストの行先階が、入居者の許可階に含まれていない場合（Ｓ５３でＮＯ）、セキュリティサーバ１００の制御部１０１は、ゲストの許可階が、入居者ＤＢにおいて入居者ＩＤに対応付けられている入居者の許可階に含まれているか否かを判断する（Ｓ５４）。
【０１８４】
ゲストの行先階が入居者の許可階に含まれている場合（Ｓ５３でＹＥＳ）、またはゲストの許可階が入居者の許可階に含まれている場合（Ｓ５４でＹＥＳ）、セキュリティサーバ１００の制御部１０１は、有効期間開始日時及び有効期間終了日時が正しく設定されているか否かを判断する（Ｓ５５）。
【０１８５】
有効期間開始日時及び有効期間終了日時が正しく設定されている場合（Ｓ５５でＹＥＳ）、セキュリティサーバ１００の制御部１０１は、ゲストＩＤを生成する。例えば、セキュリティサーバ１００の制御部１０１は、Ｃ桁の乱数を発生させ、発生させた乱数をゲストＩＤとして設定する（Ｓ５６）。なお、図８では、ゲストＩＤの桁数を８桁としたが、これには限定されない。例えば、ゲストＩＤの桁数は１６桁でもよい。ゲストＩＤの桁数が大きいほどセキュリティが向上するため、ＱＲコードに格納可能な最大の桁数としてもよい。
【０１８６】
セキュリティサーバ１００の制御部１０１は、生成したゲストＩＤがゲストＤＢに既に登録されているか否かを判断する（Ｓ５７）。
【０１８７】
生成したゲストＩＤがゲストＤＢに既に登録されている場合（Ｓ５７でＹＥＳ）、セキュリティサーバ１００の制御部１０１は、再度、ステップＳ５６以後の処理を行う。
【０１８８】
生成したゲストＩＤがゲストＤＢに登録されていない場合（Ｓ５７でＮＯ）、セキュリティサーバ１００の制御部１０１は、生成したゲストＩＤに対応付けて、ＱＲコード生成依頼情報に含まれるゲスト名、ゲストメールアドレス、入居者ＩＤ、入居者メールアドレス、ゲストの行先階、ゲストの許可階、有効期間開始日時、及び有効期間終了日時と、ゲート通過回数を、ゲストＤＢに登録する（Ｓ５８）。ここで、ゲート通過回数としては初期値の０（ゼロ）が登録される。
【０１８９】
セキュリティサーバ１００の制御部１０１は、ゲストの情報通信端末にゲストメールアドレスに基づいて案内メールを送信する（Ｓ５９）。案内メールの内容については後述する。
【０１９０】
セキュリティサーバ１００の制御部１０１は、登録完了を示すメッセージをＱＲコード作成用端末２００に送信し（Ｓ６０）、ステップＳ５１の処理に戻る。
【０１９１】
一方、ステップＳ５２において、入居者ＩＤが入居者ＤＢに登録されていない場合（Ｓ５２でＮＯ）、またはステップＳ５４において、ゲストの許可階が入居者の許可階に含まれていない場合（Ｓ５４でＮＯ）、またはステップＳ５５において、有効期間開始日時と有効期間終了日時との少なくとも一方が正しく設定されていない場合（Ｓ５５でＮＯ）、セキュリティサーバ１００の制御部１０１は、エラー信号をＱＲコード作成用端末２００に送信し（Ｓ６１）、ステップＳ５１の処理に戻る。このとき、ＱＲコード作成用端末２００においては、例えば、正しい情報を入力することを促すメッセージが表示部２０４に表示される。
【０１９２】
図１５は、実施形態１におけるセキュリティサーバ１００がゲストの情報通信端末に送信する案内メールの一例を示す図である。案内メールには、ゲストが入館可能な入館日時や、後日送信されるＱＲコードにてセキュリティゲート２０から入館すべきことや、ＱＲコード送信日時等が記載されている。
【０１９３】
２−２−７．セキュリティサーバにおけるゲストＤＢの更新処理及びＱＲコード送信処理
【０１９４】
図１６は、実施形態１におけるセキュリティサーバ１００のゲストＤＢ更新処理及びＱＲコード送信処理を説明するフローチャートである。このフローチャートによる処理は所定時間周期で実行される。所定時間は例えば６０秒である。
【０１９５】
セキュリティサーバ１００の制御部１０１は、ゲストＤＢにデータが存在するか否かを判断する（Ｓ７１）。ゲストＤＢにデータが存在しない場合（Ｓ７１でＮＯ）、セキュリティサーバ１００の制御部１０１は、本フローチャートによる処理を終了する。
【０１９６】
ゲストＤＢにデータが存在する場合（Ｓ７１でＹＥＳ）、セキュリティサーバ１００の制御部１０１は、ゲストＤＢから、先頭のレコードを取り出す（Ｓ７２）。
【０１９７】
セキュリティサーバ１００の制御部１０１は、現在時刻が、取り出したレコードに含まれる有効期間開始日時の所定時間Ｔ前か否かを判断する（Ｓ７３）。所定時間Ｔは、例えば１０分である。
【０１９８】
現在時刻が有効期間開始日時の所定時間Ｔ前である場合（Ｓ７３でＹＥＳ）、セキュリティサーバ１００の制御部１０１は、取り出したレコードに含まれるゲストメールアドレスにＱＲコードを送信済か否かを判断する（Ｓ７４）。
【０１９９】
ＱＲコードを送信済でない場合（Ｓ７４でＮＯ）、セキュリティサーバ１００の制御部１０１は、ゲストＩＤに基づいてＱＲコードを生成する（Ｓ７５）。
【０２００】
セキュリティサーバ１００の制御部１０１は、取り出したレコードに含まれるゲストメールアドレスに、ステップＳ７５で生成したＱＲコードを添付したＱＲコード送付メールを送信する（Ｓ７６）。
【０２０１】
一方、ステップＳ７３において、現在時刻が有効期間開始日時の所定時間Ｔ前でない場合（Ｓ７３でＮＯ）、またはＱＲコードを送信済である場合（Ｓ７４でＹＥＳ）、セキュリティサーバ１００の制御部１０１は、現在時刻が、取り出したレコードに含まれる有効期間終了日時を過ぎているか否かを判断する（Ｓ７７）。
【０２０２】
現在時刻が有効期間終了日時を過ぎている場合（Ｓ７７でＹＥＳ）、取り出したレコードをゲストＤＢから消去する（Ｓ７８）。
【０２０３】
現在時刻が有効期間終了日時を過ぎていない場合（Ｓ７７でＮＯ）、またはＱＲコードを送信した場合（Ｓ７６）、または取り出したレコードをゲストＤＢから消去した場合（Ｓ７８）、セキュリティサーバ１００の制御部１０１は、ゲストＤＢ内の全レコードについてステップＳ７３以後の処理が完了したか否かを判断する（Ｓ７９）。
【０２０４】
全レコードについてのステップＳ７３以後の処理が完了していない場合（Ｓ７９でＮＯ）、セキュリティサーバ１００の制御部１０１は、次のレコードをゲストＤＢから取り出し（Ｓ８０）、ステップＳ７３以後の処理を実行する。
【０２０５】
全レコードについてのステップＳ７３以後の処理が完了した場合（Ｓ７９でＹＥＳ）、セキュリティサーバ１００の制御部１０１は、本フローチャートによる処理を終了する。
【０２０６】
ここで、上記ステップＳ７３の判断で用いられる所定時間Ｔは、前述したように例えば１０分である。これは以下の理由による。すなわち、入館用のＱＲコードをゲストが入館前に保有している時間は、実使用に問題が生じない程度にできるだけ短い時間としておくことがビルのセキュリティの点から好ましいからである。
【０２０７】
図１７は、実施形態１におけるセキュリティサーバ１００が送信するＱＲコード送付メールの一例を示す図である。ＱＲコード送付メールには、添付のＱＲコードにてセキュリティゲート２０から入館すべきことや、セキュリティゲート２０にて案内される号機名のエレベータの乗車すべきことや、入館開始可能日時等が記載されている。
【０２０８】
なお、ステップＳ７５において生成するＱＲコードは、一般的なＱＲコードに代えて、図１８に示すようなものとしてもよい。図１８は、実施形態１におけるセキュリティサーバ１００が生成するＱＲコードの一例を示す図である。このＱＲコードは、キャンバス領域を有しており、当該キャンバス領域に種々の情報を示す文字が記載されている。図１８の例では、キャンバス領域に、ゲストとの打ち合わせ予定日程等が記載されている。このようなＱＲコードを用いる場合、ＱＲコード作成用端末２００において、キャンバス領域への記載事項をさらに入力可能とし、セキュリティサーバ１００の制御部１０１は、ＱＲコード作成用端末２００から受信した記載事項をキャンバス領域に記載したＱＲコードを生成すればよい。図１８のようなＱＲコードによれば、予定等を視覚的にゲストに提示できるため、ゲストの利便性がより向上することとなる。
【０２０９】
３．作用
本実施形態のエレベータシステムの作用について説明する。
【０２１０】
まず、入居者がビル内に入館してエレベータを利用する場合について説明する。入居者は、ＩＤカードをセキュリティゲート２０のリーダ２５にかざす。このときリーダ２５のカードリーダ部２５ａによりＩＤカードから入居者ＩＤが読み取られ（取得され）、セキュリティサーバ１００に送信される。入居者ＩＤが入居者ＤＢに登録されていれば、セキュリティサーバ１００により、セキュリティゲート２０のゲートフラッパ２８が開状態となるように制御され、入居者は、セキュリティゲート２０を通過して特定領域に進入することができる。また、入居者がセキュリティゲート２０を通過する際、セキュリティゲート２０のゲート表示器７０には、割当号機と、当該入居者に対して予め設定された行先階とが表示される。そのため、入居者は、乗車すべき割当号機を知ることができる。したがって、入居者は、ＩＤカードをセキュリティゲート２０のリーダ２５にかざすだけで、セキュリティゲート２０を通過して割当号機に乗車し、自己の行先階に向かうことができる。
【０２１１】
次に、入居者がゲストをビル内の自宅に招く場合を説明する。まず、入居者は、ＱＲコード作成用端末２００を利用して、ゲストの訪問情報をゲストＤＢに登録する。具体的には、入居者は、ＱＲコード作成用端末２００のリーダ２０６にＩＤカードをかざして認証を行った後、ＱＲコード作成用端末２００の操作部２０５を操作して、ゲスト名、ゲストメールアドレス、入居者メールアドレス、ゲストの行先階、ゲストの許可階、有効期間開始日時、有効期間終了日時を入力する。入居者ＩＤについては、ＩＤカードをＱＲコード作成用端末２００のリーダ２０６にかざすことで、ＱＲコード作成用端末２００において自動的に取得される。入居者がゲストの訪問情報の登録を確定すると、セキュリティサーバ１００において、ゲストＩＤが生成され、生成したゲストＩＤと、上記の入居者ＩＤ、ゲスト名、ゲストメールアドレス、入居者メールアドレス、行先階、許可階、有効期間開始日時、有効期間終了日時、及びゲート通過回数がゲストＤＢに登録される。また、ゲストメールアドレス宛に、セキュリティゲート２０及びエレベータの利用方法を案内するための電子メール（案内メール）が送信される。これにより、ゲストは、訪問先のビルのセキュリティゲート２０及びエレベータ６０の利用方法を知ることができる。
【０２１２】
有効期間開始日時の所定時間Ｔ前になると、セキュリティサーバ１００から、ゲストメールアドレス宛に、ＱＲコードを添付した電子メール（ＱＲコード送付メール）が送信される。
【０２１３】
ゲストは、ビルを訪問した際、自己の情報通信端末の表示部に、セキュリティサーバ１００から受信したＱＲコードを表示させてセキュリティゲート２０のリーダ２５にかざす。このときリーダ２５のＱＲコードリーダ部２５ｂによりＱＲコードが読み取られ、ＱＲコードからデコードしたゲストＩＤがセキュリティサーバ１００に送信される。当該ゲストＩＤの有効期間内であれば、セキュリティサーバ１００により、セキュリティゲート２０のゲートフラッパ２８が開状態に制御され、ゲストは、セキュリティゲート２０を通過して特定領域に進入することができる。
【０２１４】
ゲストがセキュリティゲート２０を通過する際、セキュリティゲート２０のゲート表示器７０には、割当号機と、当該ゲストに対して予め設定された行先階とが表示されている。そのため、ゲストは、乗車すべき割当号機を知ることができる。したがって、ゲストは、セキュリティゲート２０を通過した後、行先階登録装置３０を操作することなく、割当号機に乗車し、入居者によって指定された行先階に向かうことができる。
【０２１５】
このように、本実施形態によると、ゲストは、ビルを訪問した際、自己の情報通信端末の表示部にＱＲコードを表示させてセキュリティゲート２０のリーダ２５にかざすだけで、セキュリティゲート２０を通過し、かつ自動的に指定されたエレベータに乗車することができる。よって、従来のように、セキュリティゲート２０の内側の特定領域に入るために、ビルの受付でＩＣカードを借用したり、エレベータに乗車するために、行先階登録装置３０を操作したりする必要がなくなる。よって、セキュリティゲート２０及びエレベータを有するビルへの訪問時におけるゲストの利便性を大きく向上させることができる。
【０２１６】
また、本実施形態では、ゲストがセキュリティゲート２０を通過すると、当該ゲストを登録した入居者の情報通信端末に、入居者メールアドレスに基づいて、当該ゲストが到着したこと及び割当号機を案内する電子メール（ゲスト到着メール）が送信される。そのため、入居者は、ゲストが到着したことや乗車号機（割当号機）を知ることができる。これにより、入居者は、ゲストをスムーズに出迎えることができる。
【０２１７】
一方、ゲストが帰る際には、通常、有効期間終了日時を過ぎていると考えられるが、この場合、ゲストＤＢからはゲストＩＤが既に消去されている。この状態で、行先階登録装置３０のリーダ３６にＱＲコードがかざされると、群管理制御装置１０により割当号機が決定され、行先階登録装置３０の表示部３４に、行先階が１階であることと、割当号機が表示される。通常、ゲストは、帰る際に１階に向かう。そのため、帰る際に、ゲストは、行先階登録装置３０のリーダ３６にＱＲコードをかざすだけで、エレベータに乗車することが可能となる。また、１階以外の階床にはゲストは行くことができないため、ビル内の他の階床の入居者にとってのセキュリティが適切に確保される。
【０２１８】
ここで、ビル入館用のＱＲコードをゲストに送信する場合、ビルのセキュリティを十分に考慮する必要があるが、本実施形態では、有効期間終了日時が経過したＱＲコードは消去される。そのため、有効期間終了日時が経過したＱＲコードをセキュリティゲート２０のリーダ２５にかざしても、セキュリティゲート２０を通過することはできない。また、有効期間開始日時よりも前の日時に、ＱＲコードをセキュリティゲート２０のリーダ２５にかざしても、認証で許可されず、ゲストはセキュリティゲート２０を通過することはできない。さらに、有効期間内にＱＲコードをセキュリティゲート２０のリーダ２５にかざして一度通過すると、それ以後、セキュリティゲート２０のリーダ２５にＱＲコードをかざしても、認証で許可されず、ＱＲコードをかざした者はセキュリティゲート２０を通過することはできない。したがって、正規にＱＲコードを保持しているゲストがセキュリティゲート２０を通過した後は、不正に当該ＱＲコードを撮影すること等で取得した者がセキュリティゲート２０を通過することはできない。さらに、ゲストＩＤは所定桁数（本実施形態では８桁）以上の乱数であるので、不正にＱＲコードを生成して、セキュリティゲート２０のリーダ２５にかざしても、ゲストＩＤが一致する可能性は極めて低い。このように、本実施形態では、ゲスト用にビル入館用のＱＲコードを生成し、ゲストに送信するが、適切にセキュリティを確保することができる。
【０２１９】
（実施形態２）
実施形態２のエレベータシステムについて説明する。実施形態１のエレベータシステムでは、行先階登録装置３０のリーダ３６（カードリーダ部３６ａ、ＱＲコードリーダ部３６ｂ）にＩＤカードまたはＱＲコードがかざされた場合に、行先階登録装置３０での行先階の指定を可能としている。しかし、行先階登録装置３０で行先階が入力された後で、リーダ３６（カードリーダ部３６ａ、ＱＲコードリーダ部３６ｂ）にＩＤカードまたはＱＲコードがかざすように構成してもよい。以下においてこの例について説明する。
【０２２０】
図１９は、実施形態２における行先階登録装置３０の表示部３４の表示例を示す図である。本実施形態の行先階登録装置３０は、図１９（ａ）に示すように、表示部３４に、初期画面としてテンキーの表示を行うように構成されている。そして、表示部３４（操作部）に表示されたテンキーへのタッチ操作により、図１９（ｂ）のように行先階が入力されると（図１９（ｂ）では１１階が指定された例を示している）、行先階登録装置３０は、図１９（ｃ）のように、表示部３４に「ＱＲコードまたはＩＤカードをかざしてください」という表示を行う。この表示状態のときに、行先階登録装置３０のリーダ３６のＱＲコードリーダ部３６ｂにＱＲコードがかざされると、ＱＲコードが有効期間内のものか否か、及び利用者により指定された行先階が許可階に含まれているか否かに応じた制御が行われる。例えば、（１）ＱＲコードが有効期間内のものであり、かつ利用者により指定された行先階が許可階に含まれているときは、図１９（ｄ）のように、行先階登録装置３０の表示部３４に、１１階がＡ号機に割り当てられたことが表示される。また、（２）ＱＲコードが有効期間内のものであるが、利用者により指定された行先階が許可階に含まれていないときは、図１９（ｆ）のように、行先階登録装置３０の表示部３４に、指定された行先階には利用者は行くことができないことが表示される。図１９（ｆ）の例では、１１階には行けないことが表示されている。
【０２２１】
一方、図１９（ｃ）の表示状態のときに、行先階登録装置３０のリーダ３６のＱＲコードリーダ部３６ｂにＱＲコードがかざされた場合において、ＱＲコードの有効期間内でない場合、図１９（ｅ）のように、行先階登録装置３０の表示部３４に１階（ロビー階）がＡ号機に割り当てられたことが表示される。このような表示が行われるのは、実施形態１の図１２Ｂ（ｄ）で説明したのと同様の理由による。
【０２２２】
本実施形態において、図１９の表示を行う際の群管理制御装置１０及び行先階登録装置３０の処理について図２０及び図２１を用いて説明する。図２０は、実施形態２における群管理制御装置１０が行先階登録装置３０から行先階の情報を受信したときの動作を説明するフローチャートである。図２１は、実施形態２における行先階登録装置３０の動作を説明するフローチャートである。本実施形態では、行先階登録装置３０において、実施形態１の図１２Ａの処理に代えて、図２１の処理が行われる。群管理制御装置１０がセキュリティサーバ１００から割当号機情報を受信したときの動作は、実施形態１と同様である。また、セキュリティサーバ１００は、実施形態１と同様の動作を行う。
【０２２３】
まず、図２０を用いて、群管理制御装置１０の動作について説明する。
【０２２４】
群管理制御装置１０の制御部１１は、行先階登録装置３０から行先階の情報（行先階情報）を受信したか否かを判断する（Ｓ１１１）。
【０２２５】
行先階情報を受信していない場合（Ｓ１１１でＮＯ）、群管理制御装置１０の制御部１１は、ステップＳ１１１の処理を再度実行する。
【０２２６】
行先階情報を受信した場合（Ｓ１１１でＹＥＳ）、群管理制御装置１０の制御部１１は、セキュリティサーバ１００から情報（割当依頼情報または許可階情報）を受信したか否かを判断する（Ｓ１１２）。
【０２２７】
受信していない場合（Ｓ１１２でＮＯ）、群管理制御装置１０の制御部１１は、行先階情報を受信してから、所定時間Ｔ（秒）が経過したか否かを判断する（Ｓ１１３）。所定時間Ｔ（秒）は、一般的な利用者が図１９（ｃ）の表示を見た後、ＱＲコードまたはＩＤカードをかざすことを完了可能な時間に設定されている。
【０２２８】
所定時間Ｔ（秒）が経過していない場合（Ｓ１１３でＮＯ）、群管理制御装置１０の制御部１１は、ステップＳ１１２の判断を再度実行する。
【０２２９】
所定時間Ｔ（秒）が経過した場合（Ｓ１１３でＹＥＳ）、群管理制御装置１０の制御部１１は、ステップＳ１１１の判断を再度実行する。
【０２３０】
ここで、行先階登録装置３０においてテンキーを利用して行先階が入力されると、行先階登録装置３０から群管理制御装置１０に行先階の情報が送信されるとともに、図１９（ｃ）を用いて説明したようにＱＲコードまたはＩＤカードをかざすことを促す表示が行われる。この表示にしたがって利用者によりいずれかの操作が行われた場合、リーダ３６からセキュリティサーバ１００に入居者ＩＤまたはＱＲコードが送信され、それに対する応答として、セキュリティサーバ１００から群管理制御装置１０に割当依頼情報または許可階情報が送信される。しかし、利用者によっては、図１９（ｃ）の表示を見た後、ＱＲコードまたはＩＤカードをかざすことのいずれの操作も行わない場合がある。この場合、群管理制御装置１０には割当依頼情報及び許可階情報のいずれも送信されて来ず、以後の処理が不要になることがある。そのため、本ステップＳ１１２では、利用者がリーダ３６においてＱＲコードまたはＩＤカードをかざしたか否かを判断するために、所定時間Ｔの間、セキュリティサーバ１００から情報（割当依頼情報または許可階情報）を受信したか否かを判断することとしている。
【０２３１】
ステップＳ１１２において、セキュリティサーバ１００から情報（割当依頼情報または許可階情報）を受信したと判断した場合（Ｓ１１２でＹＥＳ）、群管理制御装置１０の制御部１１は、受信した情報が許可階情報と、行先階としてロビー階（所定階の一例）を設定した割当依頼情報とのどちらかを判断する（Ｓ１１４）。
【０２３２】
受信した情報が割当依頼情報である場合（Ｓ１１４の割当依頼情報）、群管理制御装置１０の制御部１１は、割当依頼情報が示す出発階及び行先階について最適な号機を選択し、割当号機として決定し（Ｓ１１５）、決定した割当号機を示す割当号機情報を、割当依頼情報に含まれるデバイスＩＤが示す行先階登録装置３０に送信する（Ｓ１１６）。このとき、行先階登録装置３０は、表示部３４に、割当号機名等を表示する。
【０２３３】
受信した情報が許可階情報である場合（Ｓ１１４の許可階情報）、群管理制御装置１０の制御部１１は、ステップＳ１１１で受信した行先階情報が示す行先階が、ステップＳ１１４で受信した許可階情報が示す許可階に含まれているか否かを判断する（Ｓ１１７）。
【０２３４】
行先階が許可階に含まれている場合（Ｓ１１７でＹＥＳ）、群管理制御装置１０の制御部１１は、ステップＳ１１５以後の処理を実行する。
【０２３５】
行先階が許可階に含まれていない場合（Ｓ１１７でＮＯ）、群管理制御装置１０の制御部１１は、割当不可情報を行先階登録装置３０に送信する（Ｓ１１８）。割当不可情報とは、指定された行先階をいずれの号機にも割り当てられないことを示す情報である。このとき、行先階登録装置３０は、表示部３４に、前述の図１９（ｆ）のような、指定階には行くことができないことを利用者に報知する表示を行う。
【０２３６】
次に、図２１を用いて、行先階登録装置３０の動作について説明する。
【０２３７】
行先階登録装置３０の制御部３１は、表示部３４に、初期画面を表示させる。初期画面では、例えば、前述の図１９（ａ）のようなテンキーが表示される。なお、初期画面では、テンキーでなく、利用者が行先階を入力可能なように、階床毎の階床ボタンを表示させてもよい。
【０２３８】
行先階登録装置３０の制御部３１は、行先階が入力されたか否かを判断する（Ｓ１２２）。例えば、行先階登録装置３０の制御部３１は、テンキーの操作がなされてから一定時間が経過した場合、行先階が入力されたと判断する。
【０２３９】
行先階が入力されていない場合（Ｓ１２２でＮＯ）、行先階登録装置３０の制御部３１は、Ｓ１２２の判断を再度実行する。
【０２４０】
行先階が入力された場合（Ｓ１２２でＹＥＳ）、行先階登録装置３０の制御部３１は、入力された行先階の情報を群管理制御装置１０に送信する（Ｓ１２３）。
【０２４１】
行先階登録装置３０の制御部３１は、表示部３４に、ＱＲコードまたはＩＤカードをかざすことを促すメッセージ（画面）を表示させる（Ｓ１２４）。
【０２４２】
行先階登録装置３０の制御部３１は、群管理制御装置１０から情報（割当号機情報または割当不可情報）を受信したか否かを判断する（Ｓ１２５）。
【０２４３】
群管理制御装置１０から情報（割当号機情報または割当不可情報）を受信していない場合（Ｓ１２５でＮＯ）、行先階登録装置３０の制御部３１は、行先階が入力されてから所定時間Ｔ（秒）が経過したか否かを判断する（Ｓ１２９）。所定時間Ｔは、図２０のステップＳ１１３の所定時間（Ｔ）と同じ時間に設定するのが好ましいが、異なる時間に設定してもよい。
【０２４４】
所定時間Ｔ（秒）が経過していない場合（Ｓ１２９でＮＯ）、行先階登録装置３０の制御部３１は、ステップＳ１２５の判断を再度実行する。
【０２４５】
所定時間Ｔ（秒）が経過した場合（Ｓ１２９でＹＥＳ）、行先階登録装置３０の制御部３１は、ステップＳ１２１の処理に戻る。この処理の主旨は、図７のステップＳ１１２で説明したことと同じである。すなわち、表示部３４に、図１９（ｃ）のＱＲコードまたはＩＤカードをかざすことを促す表示が行われた後、この表示にしたがって利用者によりいずれかの操作が行われた場合、リーダ３６からセキュリティサーバ１００に入居者ＩＤまたはゲストＩＤが送信され、それに対する応答として、セキュリティサーバ１００から群管理制御装置１０に割当依頼情報または許可階情報が送信される。そして、群管理制御装置１０におけるステップＳ１１４以後の処理により、群管理制御装置１０から割当号機情報または割当不可情報が行先階登録装置３０に送信される。しかし、利用者によっては、図１９（ｃ）の表示を見た後、ＱＲコードまたはＩＤカードをかざすことのいずれの操作も行わない場合がある。この場合、行先階登録装置３０には割当号機情報及び割当不可情報のいずれも送信されて来ず、以後の処理が不要となることがある。そのため、利用者がリーダ３６にＱＲコードまたはＩＤカードをかざしたか否かを判断するために、ステップＳ１２５及びＳ１２９において、セキュリティサーバ１００から情報（割当依頼情報または許可階情報）を受信したか否かを所定時間Ｔの間判断する。
【０２４６】
ステップＳ１２５において、群管理制御装置１０から情報（割当号機情報または割当不可情報）を受信したと判断した場合（Ｓ１２５でＹＥＳ）、行先階登録装置３０の制御部３１は、受信した情報が割当号機情報と割当不可情報とのどちらかを判断する（Ｓ１２６）。
【０２４７】
受信した情報が割当号機情報である場合（Ｓ１２６の割当号機情報）、行先階登録装置３０の制御部３１は、受信した割当号機情報が示す割当号機名を表示部３４に表示させる（Ｓ１２７）。なお、ＱＲコードがリーダ３６（ＱＲコードリーダ部３６ｂ）にかざされた場合において、ＱＲコードの有効期間が経過しているときは、図１０ＢのＳ８４で説明したように、行先階としてロビー階（１階）が設定されるため、ロビー階（１階）に対して割り当てられた号機が表示される（図１９（ｅ）は、この場合の例であり、１階がＡ号機に割り当てられたことを示している）。一方、ＱＲコードがＱＲコードリーダ部３６ｂにかざされた場合において、ＱＲコードの有効期間が経過していない場合は、ステップＳ１２２で入力された行先階が割り当てられた号機が表示される（図１９（ｄ）は、この場合の例であり、入力された行先階の１１階がＡ号機に割り当てられたことを示している）。
【０２４８】
受信した情報が割当不可情報である場合（Ｓ１２６の割当不可情報）、行先階登録装置３０の制御部３１は、図１９（ｆ）のように、ステップＳ１２２で入力された行先階を割り当てることができないことを示すメッセージを表示部３４に表示させる（Ｓ１２８）。
【０２４９】
本実施形態によれば、行先階登録装置３０で行先階が入力された後で、リーダ３６にＩＤカードまたはＱＲコードをかざすように構成した場合でも、実施形態１と同様の効果を得ることができる。
【０２５０】
（実施形態についてのまとめ及び効果等）
（１）実施形態１、２のエレベータシステムは、
複数台の号機を含むエレベータ群を制御する群管理制御装置１０と、
エレベータ群が設置されるビルにおいてエレベータ乗場が設けられる特定領域の入口に配置されるセキュリティゲート２０と、
セキュリティゲート２０またはその入口２０ｉ側に配置され、情報通信端末からゲストＩＤ（ゲスト用認証情報）を取得するＱＲコードリーダ部２５ｂ（認証情報取得部）と、
ＱＲコードリーダ部２５ｂ（認証情報取得部）で取得されたゲストＩＤ（ゲスト用認証情報）に基づいてセキュリティゲート２０を制御するセキュリティサーバ１００（ゲート制御部）と、
セキュリティゲート２０に配置されるゲート表示器７０（ゲート表示部）と、を備える。
セキュリティサーバ１００（ゲート制御部）は、ビルの入居者によるゲストＩＤ（ゲスト用認証情報）の生成のための生成依頼情報を受け付け可能に構成されている。
生成依頼情報は、ゲストの行先階を示す情報と、ゲストの情報通信端末の情報送信先を示すゲストメールアドレス（ゲスト送信先情報）とを含む。
セキュリティサーバ１００（ゲート制御部）は、
（１）生成依頼情報を受け付けた場合、（１ａ）ゲストＩＤ（ゲスト用認証情報）を生成するとともに、生成したゲストＩＤ（ゲスト用認証情報）と、生成依頼情報におけるゲストの行先階とを対応付けて記憶部１０２に記憶させ、
さらに、（１ｂ）生成したゲストＩＤ（ゲスト用認証情報）を、生成依頼情報に含まれるゲストメールアドレス（ゲスト送信先情報）に基づいて情報通信端末に送信し、
（２）ＱＲコードリーダ部２５ｂ（認証情報取得部）でゲストＩＤ（ゲスト用認証情報）が読み取られた場合、特定領域へのゲストの進入が可能なようにセキュリティゲート２０を制御し、かつゲストＩＤ（ゲスト用認証情報）に対応付けられている行先階を記憶部１０２から読み出す。
群管理制御装置１０は、記憶部１０２から読み出された行先階をエレベータ群のいずれかのエレベータに割り当て、割り当てた号機の情報をゲート表示器７０（ゲート表示部）に表示させる。
【０２５１】
これにより、ビルの入居者が、ゲストがビルのセキュリティゲート２０を通過してエレベータ６０を利用するためのゲストＩＤ（ゲスト用認証情報）を生成することができるようになる。生成されたゲストＩＤ（ゲスト用認証情報）は、ゲストがビルの入居者を訪問する前にエレベータシステムからゲストの情報通信端末に送信される。ゲストは、ビルを訪問した際に、ゲストの情報通信端末から、セキュリティゲート２０またはその入口２０ｉ側に配置されたＱＲコードリーダ部２５ｂ（認証情報取得部）にゲストＩＤ（ゲスト用認証情報）を読み取らせればよい。これにより、特定領域へのゲストの進入が可能なようにセキュリティゲート２０が制御され、さらにゲストＩＤ（ゲスト用認証情報）に対応付けられている行先階行きの号機が自動で割り当てられ、割り当てた号機の情報がゲート表示器７０（ゲート表示部）に表示されることとなる。そのため、セキュリティゲート２０を有するビルへのゲストの訪問時における利便性を向上させることができる。
【０２５２】
（２）実施形態１、２のエレベータシステムにおいて、
生成依頼情報は、ゲストＩＤ（ゲスト用認証情報）の有効期間を示す情報をさらに含む。
セキュリティサーバ１００（ゲート制御部）は、ゲストＩＤ（ゲスト用認証情報）を有効期間の開始日時の所定時間Ｔ前にゲストの情報通信端末に送信する。
【０２５３】
これにより、ゲストが入居者を訪問する前にゲストＩＤ（ゲスト用認証情報）を保持している時間は、所定時間Ｔに制限される。そのため、ゲストがゲストＩＤ（ゲスト用認証情報）を受信してから入居者を訪問するまでの間における、ゲストＩＤ（ゲスト用認証情報）の漏洩を極力抑制できる。
【０２５４】
（３）実施形態１、２のエレベータシステムにおいて、
セキュリティサーバ１００（ゲート制御部）は、ＱＲコード生成依頼情報（生成依頼情報）を受け付けた場合、セキュリティゲート２０及びエレベータ群の利用方法の案内情報を、ＱＲコード生成依頼情報（生成依頼情報）に含まれるゲストメールアドレス（ゲスト送信先情報）が示す情報通信端末に送信する。
【０２５５】
これにより、ゲストが、訪問先のビルのセキュリティゲート２０及びエレベータ群の利用方法を事前に知ることができ、ゲストの利便性が向上する。
【０２５６】
（４）実施形態１、２のエレベータシステムにおいて、
ＱＲコード生成依頼情報（生成依頼情報）は、ゲストＩＤ（ゲスト用認証情報）の有効期間を示す情報をさらに含み、
セキュリティサーバ１００（ゲート制御部）は、有効期間が経過した場合、当該ゲストＩＤ（ゲスト用認証情報）を記憶部１０２から消去する。
【０２５７】
これにより、ゲストＩＤ（ゲスト用認証情報）が万一漏洩した場合でも、一定のセキュリティが確保される。
【０２５８】
（５）実施形態１、２のエレベータシステムにおいて、
セキュリティサーバ１００（ゲート制御部）は、ＱＲコードリーダ部２５ｂ（認証情報取得部）でゲストＩＤ（ゲスト用認証情報）が初めて取得された場合のみ、特定領域へのゲストの進入が可能となるようにセキュリティゲート２０を制御する。
【０２５９】
これにより、ゲストが特定領域内に進入後にゲストＩＤ（ゲスト用認証情報）が万一漏洩した場合でも、一定のセキュリティが確保される。
【０２６０】
（６）実施形態１、２のエレベータシステムにおいて、
セキュリティサーバ１００（ゲート制御部）は、ＱＲコード生成依頼情報（生成依頼情報）を受け付けた場合において、ＱＲコード生成依頼情報（生成依頼情報）における行先階が、入居者に対応付けて記憶部に予め記憶されている許可階に含まれている場合に限り、（１ａ）及び（１ｂ）を実行する。
【０２６１】
これにより、ゲスト用の行先階として入居者に対応付けられた行先階以外の階床が設定された場合には、ゲストＩＤ（ゲスト用認証情報）の生成等が行われない。そのため、ゲストが許可階以外の階床に行くことが制限される。したがって、ビル内のセキュリティが適切に確保される。
【０２６２】
（７）実施形態１、２のエレベータシステムにおいて、
ＱＲコード生成依頼情報（生成依頼情報）は、当該ＱＲコード生成依頼情報（生成依頼情報）を生成した入居者への情報送信先を示す入居者メールアドレス（入居者送信先情報）をさらに含む。
群管理制御装置１０は、ゲストの行先階を複数台の号機のいずれかに割り当てた場合、ゲスト到着メール（ゲストが到着したことを示す到着情報）を、入居者メールアドレス（入居者送信先情報）が示す入居者の情報通信端末に送信する。
【０２６３】
これにより、入居者に、ゲストが到着したことを知らせることができる。そのため、入居者がゲストをスムーズに出迎えることができる。
【０２６４】
（８）実施形態１、２のエレベータシステムにおいて、
ＱＲコード生成依頼情報（生成依頼情報）におけるゲストの行先階は、入居者に対応付けられている少なくとも１つの許可階の中から入居者により選択的に設定されている。
ゲスト到着メール（到着情報）は、ゲストの行先階として設定されている階床情報を含む。
【０２６５】
これにより、入居者に、ゲストの行先階として設定されている階床の情報を提供できる。そのため、例えば、入居者において、自己の許可階の中から自己の入居階以外の階床をゲストの行先階として設定したような場合に、設定した階床を再認識させるようなことが可能となる。
【０２６６】
（９）実施形態１、２のエレベータシステムにおいて、
ゲスト到着メール（到着情報）は、ゲストの行先階を割り当てた号機を示す情報を含む。
【０２６７】
これにより、入居者に、ゲストの行先階を割り当てた号機を示す情報を提供できる。そのため、入居者において、例えば、行先階の割り当てられた号機の前でゲストを出迎えるようなことが可能となる。
【０２６８】
（１０）実施形態１、２のエレベータシステムにおいて、
群管理制御装置１０は、ゲストの行先階を複数台の号機のいずれかに割り当てた場合、割り当てた号機の走行中の現在位置を示す情報を入居者の情報通信端末に送信する。
【０２６９】
これにより、入居者に、ゲストの行先階を割り当てた号機の走行中の現在位置を示す情報を提供できる。そのため、入居者において、例えば、よりタイムリーにゲストを出迎えるようなことが可能となる。
【０２７０】
（１１）実施形態１のエレベータシステムにおいて、
ビルの複数の階床のそれぞれに、
ゲストの情報通信端末からゲストＩＤ（ゲスト用認証情報）を取得するＱＲコードリーダ部３６ｂ（第２の認証情報取得部）と、
表示部３４と、
表示部３４の表示を制御する制御部３１（表示制御部）と、をさらに備える。
ＱＲコード生成依頼情報（生成依頼情報）は、ゲストＩＤ（ゲスト用認証情報）の有効期間を示す情報をさらに含む。
ＱＲコードリーダ部３６ｂ（第２の認証情報取得部）でゲストＩＤ（ゲスト用認証情報）が取得された場合、セキュリティサーバ１００（ゲート制御部）は、記憶部１０２にゲストＩＤ（ゲスト用認証情報）に対応付けて記憶されているＱＲコード生成依頼情報（生成依頼情報）に含まれるゲストＩＤ（ゲスト用認証情報）の有効期間の情報を読み出し、入力されたゲストＩＤ（ゲスト用認証情報）の有効期間が経過しているときは、ゲストの行先階として特定階を設定し、群管理制御装置１０は、ゲストの行先階として設定されたロビー階（所定階）をいずれかの号機に割り当て、制御部３１（表示制御部）、表示部３４に、ゲストの行先階としてロビー階（所定階）が設定されたことと、ロビー階（所定階）が割り当てられた号機の情報とを表示させる。
【０２７１】
これにより、ゲストＩＤ（ゲスト用認証情報）の有効期間が経過した後で、ＱＲコードリーダ部３６ｂ（第２の認証情報取得部）にゲストＩＤ（ゲスト用認証情報）を提示したゲストに対して、ゲストの行先階としてロビー階（所定階）が設定されたことと、ロビー階（所定階）が割り当てられた号機の情報とを報知できる。ゲストＩＤ（ゲスト用認証情報）の有効期間が経過した後でＱＲコードリーダ部３６ｂ（第２の認証情報取得部）にゲストＩＤ（ゲスト用認証情報）が提示される場合としては、例えばゲストが入居者宅等から帰ろうとしている場合があるが、そのような場合に、自動的にロビー階（所定階）行きの号機をゲストに割り当てることができる。
【０２７２】
（１２）実施形態１のエレベータシステムにおいて、
ビルの複数の階床のそれぞれに、
行先階の選択操作を受け付ける操作部３５と、
ゲストの情報通信端末からゲストＩＤ（ゲスト用認証情報）を取得するＱＲコードリーダ部３６ｂ（第２の認証情報取得部）と、
表示部３４と、
表示部３４の表示を制御する制御部３１（表示制御部）と、をさらに備える。
ＱＲコード生成依頼情報（生成依頼情報）は、ゲストの利用が許可される少なくとも１つの許可階についての情報をさらに含む。
ＱＲコードリーダ部３６ｂ（第２の認証情報取得部）でゲストＩＤ（ゲスト用認証情報）が取得された場合、セキュリティサーバ１００（ゲート制御部）は、記憶部１０２にゲストＩＤ（ゲスト用認証情報）に対応付けて記憶されているＱＲコード生成依頼情報（生成依頼情報）に含まれるゲストについての全ての許可階の情報を読み出し、制御部３１（表示制御部）は、全ての許可階の中から操作部３５で選択された許可階を表示部３４に表示させる。群管理制御装置１０は、全ての許可階の中から操作部３５で選択された許可階をいずれかの号機に割り当てる。制御部３１（表示制御部）は、表示部３４に、操作部３５で選択された許可階と、選択された許可階が割り当てられた号機の情報とを表示させる。
【０２７３】
これにより、ゲストに、許可階の範囲内で自由に号機を割り当てることができる。例えば、入居者は入居者宅の階床でゲストを出迎えた後、ゲストとともに許可階の範囲内で他の階床に移動したい場合があるが、そのような場合に適切に対応できる。
【０２７４】
（１３）実施形態１のエレベータシステムにおいて、
ＱＲコード生成依頼情報（生成依頼情報）は、ゲストＩＤ（ゲスト用認証情報）の有効期間を示す情報をさらに含む。
ＱＲコードリーダ部３６ｂ（第２の認証情報取得部）でゲストＩＤ（ゲスト用認証情報）が取得された場合、セキュリティサーバ１００（ゲート制御部）は、記憶部１０２にゲストＩＤ（ゲスト用認証情報）に対応付けて記憶されているＱＲコード生成依頼情報（生成依頼情報）に含まれるゲストＩＤ（ゲスト用認証情報）の有効期間の情報を読み出し、取得されたゲストＩＤ（ゲスト用認証情報）の有効期間が経過しているときは、ゲストの行先階としてロビー階（所定階）を設定し、群管理制御装置１０は、ロビー階（所定階）をいずれかの号機に割り当て、制御部３１（表示制御部）は、表示部３４に、ゲストの行先階としてロビー階（所定階）が設定されたことと、ロビー階（所定階）に割り当てられた号機の情報とを表示させる。
【０２７５】
これにより、（１１）において説明したのと同様に、ゲストＩＤ（ゲスト用認証情報）の有効期間が経過した後で、ＱＲコードリーダ部３６ｂ（第２の認証情報取得部）にＱＲコードをかざしたゲストに対して、ゲストの行先階として設定されたロビー階（所定階）と、ロビー階（所定階）が割り当てられた号機の情報とを報知できる。
【０２７６】
（１４）実施形態２のエレベータシステムにおいて、
ビルの複数の階床のそれぞれに、
行先階の入力操作を受け付ける操作部３５と、
ゲストの情報通信端末からゲストＩＤ（ゲスト用認証情報）を取得するＱＲコードリーダ部３６ｂ（第２の認証情報取得部）と、
表示部３４と、
表示部３４の表示を制御する制御部３１（表示制御部）と、をさらに備える。
ＱＲコード生成依頼情報（生成依頼情報）は、ゲストの利用が許可される少なくとも１つの許可階についての情報をさらに含む。
操作部３５で行先階が入力された場合、制御部３１（表示制御部）は、操作部３５で入力された行先階を群管理制御装置１０に送信する。
ＱＲコードリーダ部３６ｂ（第２の認証情報取得部）でゲストＩＤ（ゲスト用認証情報）が取得された場合、セキュリティサーバ１００（ゲート制御部）は、記憶部１０２にゲストＩＤ（ゲスト用認証情報）に対応付けて記憶されているＱＲコード生成依頼情報（生成依頼情報）に含まれるゲストについての全ての許可階の情報を読み出して群管理制御装置１０に送信する。
群管理制御装置１０は、制御部３１（表示制御部）から受信した行先階がセキュリティサーバ１００（ゲート制御部）から受信した許可階に含まれているときは、制御部３１（表示制御部）から受信した行先階をいずれかの号機に割り当てる。制御部３１（表示制御部）は、表示部３４に、操作部３５で入力された行先階と、群管理制御装置１０により割り当てられた号機の情報とを表示させる。
【０２７７】
これにより、情報通信端末をＱＲコードリーダ部３６ｂ（第２の認証情報取得部）にかざす前に行先階登録装置３０に行先階を入力可能とした場合において、許可階の範囲内で、行先階を適切な号機に割り当てることができる。
【０２７８】
（１５）実施形態２のエレベータシステムにおいて、
群管理制御装置１０は、制御部３１（表示制御部）から受信した行先階がセキュリティサーバ１００（ゲート制御部）から受信した許可階に含まれていないときは、制御部３１（表示制御部）にエラー信号を送信する。
制御部３１（表示制御部）は、エラー信号を受信すると、表示部３４に、操作部３５で入力された行先階にはゲストが行くことができないことを示すメッセージ（情報）を表示させる。
【０２７９】
これにより、ＱＲコードリーダ部３６ｂ（第２の認証情報取得部）にＱＲコードをかざす前に行先階登録装置３０に行先階を入力可能とした場合において、入力された行先階が許可階に含まれていないときに、当該行先階にはゲストが行くことができないことをゲストに報知することができる。
【０２８０】
（１６）実施形態２のエレベータシステムにおいて、
生成依頼情報は、ゲストＩＤ（ゲスト用認証情報）の有効期間を示す情報をさらに含む。
ＱＲコードリーダ部３６ｂ（第２の認証情報取得部）でゲストＩＤ（ゲスト用認証情報）が取得された場合、セキュリティサーバ１００（ゲート制御部）は、記憶部１０２にゲストＩＤ（ゲスト用認証情報）に対応付けて記憶されているＱＲコード生成依頼情報（生成依頼情報）に含まれるゲストＩＤ（ゲスト用認証情報）の有効期間の情報を読み出し、入力されたゲストＩＤ（ゲスト用認証情報）の有効期間が経過しているときは、ゲストの行先階としてロビー階（所定階）を設定する。群管理制御装置１０は、ロビー階（所定階）をいずれかの号機に割り当て、制御部３１（表示制御部）は、表示部３４に、ゲストの行先階としてロビー階（所定階）が設定されたことと、ロビー階（所定階）に割り当てられた号機の情報とを表示させる。
【０２８１】
これにより、（１１）において説明したのと同様に、ゲストＩＤ（ゲスト用認証情報）の有効期間が経過した後で、ＱＲコードリーダ部３６ｂ（第２の認証情報取得部）にＱＲコードをかざしたゲストに対して、ゲストの行先階として設定されたロビー階（所定階）と、ロビー階（所定階）が割り当てられた号機の情報とを報知できる。
【０２８２】
（１７）実施形態１、２のエレベータシステムにおいて、
ビルの入居者によるゲストＩＤ（ゲスト用認証情報）の生成に必要な情報の入力を受け付けてＱＲコード生成依頼情報（生成依頼情報）としてセキュリティサーバ１００（ゲート制御部）に送信するＱＲコード作成用端末２００（認証情報作成用端末）をさらに備える。
【０２８３】
これにより、ビルの入居者によるゲストＩＤ（ゲスト用認証情報）の生成に必要な情報の入力を受け付ける端末として、ＱＲコード作成用端末２００（認証情報作成用端末）が提供される。
【０２８４】
（１８）実施形態１、２のエレベータシステムにおいて、
ＱＲコード作成用端末２００（認証情報作成用端末）は、ビルにおいて特定領域に配置される。
【０２８５】
これにより、ＱＲコード作成用端末２００（認証情報作成用端末）を、ビルの入居者以外の者が利用することが制限される。そのため、ＱＲコード作成用端末２００（認証情報作成用端末）を設けた場合でも、ビルのセキュリティを適切に確保できる。
【０２８６】
（１９）実施形態１、２のエレベータシステムにおいて、
ＱＲコード作成用端末２００（認証情報作成用端末）は、ビルの入居者のＩＤカード（ＩＣカード）から入居者ＩＤ（入居者認証情報）を取得するリーダ２０６（ＩＣカードリーダ）を備える。
セキュリティサーバ１００（ゲート制御部）は、リーダ２０６（ＩＣカードリーダ）で取得された入居者ＩＤ（入居者認証情報）が記憶部１０２（第２の記憶部）に記憶されている場合に限り、ゲストＩＤ（ゲスト用認証情報）の生成に必要な情報の入力を受け付ける。
【０２８７】
これにより、ＱＲコード作成用端末２００（認証情報作成用端末）を、ビルの入居者以外の者が利用することが制限される。そのため、ＱＲコード作成用端末２００（認証情報作成用端末）を設けた場合でも、ビルのセキュリティを適切に確保できる。
【０２８８】
（２０）実施形態１、２のエレベータシステムにおいて、
セキュリティゲート２０に配置され、ＩＤカード（ＩＣカード）から入居者ＩＤ（入居者認証情報）を取得するカードリーダ部２５ａをさらに備える。
セキュリティサーバ１００（ゲート制御部）は、カードリーダ部２５ａで入居者ＩＤ（入居者認証情報）が取得された場合、特定領域への入居者の進入が可能なようにセキュリティゲート２０を制御し、かつ入居者ＩＤ（入居者認証情報）に対応付けられている行先階を記憶部１０２（第３の記憶部）から読み出す。
群管理制御装置１０は、記憶部１０２（第３の記憶部）から読み出された行先階をエレベータ群のいずれかの号機に割り当てる。
【０２８９】
これにより、ビルの入居者に対しては、一般的なＩＤカード（ＩＣカード）を利用してセキュリティゲート通過及びエレベータ利用の際の認証を行うことができる。
【０２９０】
（２１）実施形態１、２のエレベータシステムにおいて、
ゲストＩＤ（ゲスト用認証情報）は、ＱＲコード（二次元コード）にコード化されて、ゲストの情報通信端末に送信される。
ＱＲコードリーダ部２５ｂ（認証情報取得部）は、情報通信端末の表示部に表示されたＱＲコード（二次元コード）を読み取ってデコードすることで、ゲストＩＤ（ゲスト用認証情報）を取得する。
【０２９１】
これにより、本エレベータシステムで利用されるゲストの情報通信端末として、ＱＲコード（二次元コード）等を表示可能な表示部を有する一般的な情報通信端末を利用することができる。
【０２９２】
（その他の実施形態）
前記実施形態では、二次元コードとしてＱＲコードを例示した。しかし、本発明において、二次元コードはＱＲコードに限定されない。本発明において、二次元コードは、ＡｚｔｅｃＣｏｄｅ、Ｓｅｍａｃｏｄｅ、ＣＰｃｏｄｅ、ＰＤＦ４１７、Ｈｉｇｈ  Ｃａｐａｃｉｔｙ  Ｃｏｌｏｒ  Ｂａｒｃｏｄｅ等、その他の二次元コードであってもよい。
【０２９３】
前記実施形態では、ゲスト用認証情報は、ＱＲコードに符号化され、リーダ２５、３６のＱＲコードリーダ部２５ｂ、３６ｂでＱＲコードを読み取ってデコードすることで取得される。しかし、これに限らない。例えば、ゲスト用認証情報を、音声や画像に対応付け、情報通信端末においてゲスト認証用の音声を発生させ、またはゲスト認証用の画像を表示部に表示させ、その音声または画像に基づいて、セキュリティサーバ１００でゲスト用認証情報を取得するようにしてもよい。
【０２９４】
例えば、音声の場合、セキュリティゲート２０にＱＲコードリーダ部２５ｂに代えて音声マイク等を設け、かつセキュリティサーバ１００に音声ＤＢを格納しておく。音声ＤＢには、音声特徴量データとゲスト用認証情報とを対応付けて登録しておく。セキュリティサーバ１００の制御部１０１は、音声取得装置で取得された音声を解析して音声特徴量データを生成し、生成した音声特徴量データと同一またはほぼ同じ音声特徴量データに対応付けられているゲスト用認証情報を音声ＤＢから取得する。そして、取得したゲスト用認証情報に基づいて、ゲストＤＢに対して上述の種々の処理を行う。
【０２９５】
また、画像の場合、セキュリティゲート２０にＱＲコードリーダ部２５ｂに代えて画像スキャナを設け、かつセキュリティサーバ１００に画像ＤＢを格納しておく。画像ＤＢには、画像特徴量データとゲスト用認証情報とを対応付けて登録しておく。セキュリティサーバ１００の制御部１０１は、画像スキャナで取得された画像を解析して画像特徴量データを生成し、生成した画像特徴量データと同一またはほぼ同じ画像特徴量データに対応付けられているゲスト用認証情報を画像ＤＢから取得する。そして、取得したゲスト用認証情報に基づいて、ゲストＤＢに対して上述の種々の処理を行う。
【０２９６】
前記実施形態のエレベータシステムでは、ＱＲコードの作成は、セキュリティゲート２０の近傍に配置されたＱＲコード作成用端末２００を利用して行われる。しかし、ＱＲコードの作成は、入居者が所持するパーソナルコンピュータ、タブレット端末、スマートフォン等の情報端末を利用して行うことが可能なように構成してもよい。例えば、入居者は、これらの情報端末を利用して、セキュリティサーバ１００が提供するＷｅｂページにアクセスして認証を行って、専用端末と同様の登録画面にアクセスする。タブレット端末、スマートフォン等の情報端末が、ＩＣカードリーダ機能を有している場合、そのＩＣカードリーダ機能を利用して、入居者のＩＣカードから入居者ＩＤ等を読み取り、この入居者ＩＤをセキュリティサーバ１００に送信する。パーソナルコンピュータ、タブレット端末、スマートフォンが、ＩＣカードリーダ機能を有していない場合、入居者ＩＤをキーボード等を利用して入力するようにしてもよい。
【０２９７】
前記各実施形態では、ＱＲコードの有効期間が経過している場合に設定される所定階として、セキュリティゲートが設置される特定階（本実施形態では１階（ロビー階））を例示した。しかし、本発明における所定階は、セキュリティゲートが設置される特定階（本実施形態では１階（ロビー階））に限定されない。本発明における所定階は、セキュリティゲート２０は設置されていないが外部に通じる出口を有する他の階床（例えば地下階等の準ロビー階）であってもよい。
【０２９８】
前記実施形態では、セキュリティゲート２０のリーダ２５は制御部２１に接続されており、制御部２１を介してセキュリティサーバ１００との間で信号（情報）の授受を行う。しかし、これは一例であり、セキュリティゲート２０のリーダ２５は、制御部２１を介さずにセキュリティサーバ１００との間で信号（情報）の授受を行ってもよい。
【０２９９】
前記実施形態では、制御部１１、２１、３１、４１、１０１、２０１は、ＣＰＵ、ＭＰＵ等を利用して構成され、記憶部１２、２２、３２、４２、１０２、２０２から読み出したプログラムに基づいて種々のデータ等を利用して演算処理を行うことにより、各種の機能を実現している。つまり、各制御部１１、２１、３１、４１、１０１、２０１は、ハードウェアとソフトウェアとの協働により実現されている。しかし、各制御部１１、２１、３１、４１、１０１、２０１は、例えば、ハードウェア（電子回路）のみ、ＦＰＧＡ、ＡＳＩＣ等を利用して構成してもよい。
【０３００】
前記実施形態では、ネットワークＮＷはＥｔｈｅｒｎｅｔであり、入出力インタフェース１３、２３、２４、３３、４３、１０３、２０３はＬＡＮアダプタ等を利用して構成されている。しかし、ネットワークＮＷは、例えばＩＥＥＥ規格に準拠した無線ＬＡＮであり、入出力インタフェース１３、２３、２４、３３、４３、１０３、２０３は無線ＬＡＮアダプタ等を利用して構成されてもよい。
【符号の説明】
【０３０１】
１０  群管理制御装置
１１  制御部
１２  記憶部
１３  入出力インタフェース
２０、２０Ａ、２０Ｂ、２０Ｃ  セキュリティゲート
２０ａ  ゲート本体
２０ｉ  入口
２０ｅ  出口
２１  制御部
２２  記憶部
２３  入出力インタフェース
２５  リーダ
２５ａ  カードリーダ部
２５ｂ  ＱＲコードリーダ部
２６  第１センサ
２７  第２センサ
２８  ゲートフラッパ
３０、３０Ａ〜３０Ｚ  行先階登録装置
３１  制御部
３２  記憶部
３３  第１入出力インタフェース
３４  表示部
３５  操作部
３６  リーダ
３６ａ  カードリーダ部
３６ｂ  ＱＲコードリーダ部
３７  第２入出力インタフェース
４０、４０Ａ〜４０Ｆ  エレベータ制御装置
６０、６０Ａ〜６０Ｆ  エレベータ
７０  ゲート表示器
１００  セキュリティサーバ
１０１  制御部
１０２  記憶部
１０３  入出力インタフェース
２００  ＱＲコード作成用端末
２０１  制御部
２０２  記憶部
２０３  入出力インタフェース
２０４  表示部
２０５  操作部
２０６  リーダ
【図１】
2018070344.tif 000003
【図２】
2018070344.tif 000004
【図３】
2018070344.tif 000005
【図４】
2018070344.tif 000006
【図５】
2018070344.tif 000007
【図６】
2018070344.tif 000008
【図７】
2018070344.tif 000009
【図８】
2018070344.tif 000010
【図９】
2018070344.tif 000011
【図１０Ａ】
2018070344.tif 000012
【図１０Ｂ】
2018070344.tif 000013
【図１１Ａ】
2018070344.tif 000014
【図１１Ｂ】
2018070344.tif 000015
【図１１Ｃ】
2018070344.tif 000016
【図１１Ｄ】
2018070344.tif 000017
【図１２Ａ】
2018070344.tif 000018
【図１２Ｂ】
2018070344.tif 000019
【図１３】
2018070344.tif 000020
【図１４】
2018070344.tif 000021
【図１５】
2018070344.tif 000022
【図１６】
2018070344.tif 000023
【図１７】
2018070344.tif 000024
【図１８】
2018070344.tif 000025
【図１９】
2018070344.tif 000026
【図２０】
2018070344.tif 000027
【図２１】
2018070344.tif 000028